(57)【要約】本発明が解決しようとする課題は、通信で用いるアクセス方式を効率的に決定する技術を提供することにある。本発明は、通信相手局が対応しているアクセス方式に関する情報が記された制御情報である相手局候補情報と、自局が対応しているアクセス方式に関する情報とから、前記通信相手局との間で使用することができるアクセス方式を予め認識する認識手段と前記通信相手局とのデータ通信で用いるアクセス方式を、該データ通信を開始する際に、前記認識したアクセス方式のいずれかに決定する決定手段とを有する。
2010061825.tif 000002
【特許請求の範囲】
【請求項１】
通信相手局が対応しているアクセス方式に関する情報が記された制御情報である相手局候補情報を用いて、前記通信相手局との間で使用することができるアクセス方式を予め認識し、前記通信相手局とのデータ通信で用いるアクセス方式を、該データ通信時に、前記認識したアクセス方式のいずれかに決定することを特徴とする通信システム。
【請求項２】
データ送信の送信制御の内容を示す制御信号識別情報とアクセス方式とを対応付けたフォーマットをアクセス方式及びアクセス方式の組み合わせの少なくとも一つ毎に記憶されている記憶部を有し、
前記認識の結果に応じて前記フォーマットを選択し、この選択したフォーマットの中の前記決定したアクセス方式に対応付けられている制御信号識別子及び前記フォーマットを一意に識別するフォーマット情報の少なくとも一方を前記通信相手局に通知することを特徴とする請求項１に記載の通信システム。
【請求項３】
前記認識の結果に応じて前記フォーマットを選択し、この選択したフォーマットの前記通知された制御信号識別情報に対応付けられているアクセス方式で通信することを特徴とする請求項２に記載の通信システム。
【請求項４】
前記決定したアクセス方式で、該データ通信のデータを受信することを特徴とする請求項２又は請求項３に記載の通信システム。
【請求項５】
前記決定したアクセス方式で、該データ通信のデータを送信することを特徴とする請求項２又は請求項３に記載の通信システム。
【請求項６】
前記記憶部に、ＭＣＳ（Modulation and Coding Scheme）を一意に識別するＭＣＳ情報とアクセス方式とを対応付けたフォーマットが記憶されており、
前記選択したフォーマットと、通信環境及び通信状態の少なくとも１つと、前記決定したアクセス方式とを用いて決定したＭＣＳ情報を通知することを特徴とする請求項２から５のいずれかに記載の通信システム。
【請求項７】
前記記憶部に、リソースブロックの割り当て位置を示す割当情報とアクセス方式とを対応付けたフォーマットが記憶されており、
前記選択したフォーマットと、通信環境及び通信状態の少なくとも１つと、前記決定したアクセス方式とを用いて決定した割当情報を通知することを特徴とする請求項２から５のいずれかに記載の通信システム。
【請求項８】
前記割当情報は、周波数軸上におけるリソースブロックの割り当て位置を示す情報であることを特徴とする請求項７に記載の通信システム。
【請求項９】
前記割当情報は、時間軸上におけるリソースブロックの割り当て位置を示す情報であることを特徴とする請求項７に記載の通信システム。
【請求項１０】
データ送信の送信制御の内容を示す制御信号識別子とアクセス方式とを対応付けたテーブルが記録されている記録部を有し、
前記決定したアクセス方式に対応付けられている制御信号識別子を検索し、検索した制御信号識別子を前記通信相手局に通知することを特徴とする請求項１に記載の通信システム。
【請求項１１】
基地局が対応しているアクセス方式に関する情報が記された制御情報である基地局候補情報を用いて、前記基地局との間で使用することができるアクセス方式を予め認識し、データ通信時に決定する前記認識したアクセス方式のいずれかのアクセス方式を用いて前記基地局とデータ通信することを特徴とする端末。
【請求項１２】
データ送信の送信制御の内容を示す制御信号識別情報とアクセス方式とを対応付けたフォーマットをアクセス方式及びアクセス方式の組み合わせの少なくとも一つ毎に記憶されている記憶部を有し、
前記認識の結果に応じて前記フォーマットを選択し、前記基地局から送信された制御信号識別子を前記選択したフォーマットの中から検索し、この検索した制御信号識別子に対応付けられているアクセス方式を用いて通信することを特徴とする請求項１１に記載の端末。
【請求項１３】
データ送信の送信制御の内容を示す制御信号識別情報とアクセス方式とを対応付けたフォーマットをアクセス方式及びアクセス方式の組み合わせの少なくとも一つ毎に記憶されている記憶部を有し、
前記認識の結果に応じて前記フォーマットを選択し、自局で決定したアクセス方式に対応付けられている制御信号識別子を前記選択したフォーマットの中から検索して、この検索した制御信号識別子を前記基地局に通知することを特徴とする請求項１１に記載の端末。
【請求項１４】
データ送信の送信制御の内容を示す制御信号識別情報とアクセス方式とを対応付けたフォーマットをアクセス方式及びアクセス方式の組み合わせの少なくとも一つ毎に記憶されている記憶部を有し、
前記基地局から送信された、前記フォーマットを一意に識別するフォーマット情報に対応付けられているフォーマットを選択し、前記基地局から送信された制御信号識別子を前記選択したフォーマットの中から検索し、この検索した制御信号識別子に対応付けられているアクセス方式を用いて通信することを特徴とする請求項１１に記載の端末。
【請求項１５】
前記記憶部に、ＭＣＳ（Modulation and Coding Scheme）を一意に識別するＭＣＳ情報とアクセス方式とを対応付けたフォーマットが記憶されており、
前記選択したフォーマットと、通信環境及び通信状態の少なくとも１つと、前記決定したアクセス方式とを用いて決定したＭＣＳ情報を通知することを特徴とする請求項１２に記載の端末。
【請求項１６】
前記記憶部に、リソースブロックの割り当て位置を示す割当情報とアクセス方式とを対応付けたフォーマットが記憶されており、
前記基地局から送信された割当情報を前記選択したフォーマットの中から検索し、この検索した割当情報に対応付けられているアクセス方式を用いて通信することを特徴とする請求項１４に記載の端末。
【請求項１７】
前記割当情報は、周波数軸上におけるリソースブロックの割り当て位置を示す情報であることを特徴とする請求項１６に記載の端末。
【請求項１８】
前記割当情報は、時間軸上におけるリソースブロックの割り当て位置を示す情報であることを特徴とする請求項１６に記載の端末。
【請求項１９】
データ送信の送信制御の内容を示す制御信号識別子とアクセス方式とを対応付けたテーブルが記録されている記録部を有し、
前記基地局から送信された制御信号識別子を前記テーブルから検索し、この検索した制御信号識別子に対応付けられているアクセス方式で通信することを特徴とする請求項１１に記載の端末。
【請求項２０】
移動局が対応しているアクセス方式に関する情報が記された制御情報である移動局候補情報を用いて、前記移動局との間で使用することができるアクセス方式を予め認識し、データ通信時に決定する前記認識したアクセス方式のいずれかのアクセス方式を用いて前記移動局とデータ通信することを特徴とする基地局。
【請求項２１】
データ送信の送信制御の内容を示す制御信号識別情報とアクセス方式とを対応付けたフォーマットをアクセス方式及びアクセス方式の組み合わせの少なくとも一つ毎に記憶されている記憶部を有し、
前記認識の結果に応じて前記フォーマットを選択し、自局で決定したアクセス方式に対応つけられている制御信号識別子を前記選択したフォーマットの中から検索し、この検索した制御信号識別子及び前記選択したフォーマットを一意に識別するフォーマット情報の少なくとも一方を前記移動局に通知することを特徴とする請求項２０に記載の基地局。
【請求項２２】
前記認識の結果に応じて前記フォーマットを選択し、前記移動局から送信された制御信号識別情報を前記選択したフォーマットの中から検索し、この検索した制御信号識別情報に対応付けられているアクセス方式で通信することを特徴とする請求項２０に記載の基地局。
【請求項２３】
前記記憶部に、ＭＣＳ（Modulation and Coding Scheme）を一意に識別するＭＣＳ情報とアクセス方式とを対応付けたフォーマットが記憶されており、
前記選択したフォーマットと、通信環境及び通信状態の少なくとも１つと、前記決定したアクセス方式とを用いて決定したＭＣＳ情報を前記移動局に通知することを特徴とする請求項２１に記載の基地局。
【請求項２４】
前記記憶部に、リソースブロックの割り当て位置を示す割当情報とアクセス方式とを対応付けたフォーマットが記憶されており、
自局で決定したアクセス方式と割当情報とを用いて、前記記憶部のいずれかのフォーマットを選択し、この選択フォーマットのフォーマット情報と前記決定した割当情報とを前記移動局に通知することを特徴とする請求項２１に記載の基地局。
【請求項２５】
前記割当情報は、周波数軸上におけるリソースブロックの割り当て位置を示す情報であることを特徴とする請求項２４に記載の基地局。
【請求項２６】
前記割当情報は、時間軸上におけるリソースブロックの割り当て位置を示す情報であることを特徴とする請求項２４に記載の基地局。
【請求項２７】
データ送信の送信制御の内容を示す制御信号識別子とアクセス方式とを対応付けたテーブルが記録されている記録部を有し、
前記移動局から送信された制御信号識別子を前記テーブルから検索し、この検索した制御信号識別子に対応付けられているアクセス方式で通信することを特徴とする請求項２０に記載の端末。
【請求項２８】
通信相手局が対応しているアクセス方式に関する情報が記された制御情報である相手局候補情報を用いて、前記通信相手局との間で使用することができるアクセス方式を予め認識し、
前記通信相手局とのデータ通信で用いるアクセス方式を、該データ通信時に、前記認識したアクセス方式のいずれかに決定することを特徴とする通信方法。
【請求項２９】
アクセス方式及びアクセス方式の組み合わせの少なくとも一つ毎に、データ送信の送信制御の内容を示す制御信号識別情報とアクセス方式とを対応付けたフォーマットのいずれかを、前記認識の結果に応じて選択し、この選択したフォーマットの中の前記決定したアクセス方式に対応付けられている制御信号識別子及び前記フォーマットを一意に識別するフォーマット情報の少なくとも一方を前記通信相手局に通知することを特徴とする請求項２８に記載の通信方法。
【請求項３０】
前記認識の結果に応じて前記フォーマットを選択し、この選択したフォーマットの前記通知された制御信号識別情報に対応付けられているアクセス方式で通信することを特徴とする請求項２９に記載の通信方法。
【請求項３１】
前記決定したアクセス方式で、該データ通信のデータを受信することを特徴とする請求項２９又は請求項３０に記載の通信方法。
【請求項３２】
前記決定したアクセス方式で、該データ通信のデータを送信することを特徴とする請求項２９又は請求項３０に記載の通信方法。
【請求項３３】
アクセス方式及びアクセス方式の組み合わせの少なくとも一つ毎に、ＭＣＳ（Modulation and Coding Scheme）を一意に識別するＭＣＳ情報とアクセス方式とを対応付けたフォーマットから選択したフォーマットと、通信環境及び通信状態の少なくとも１つと、前記決定したアクセス方式とを用いて決定したＭＣＳ情報を通知することを特徴とする請求項２９から３２のいずれかに記載の通信方法。
【請求項３４】
アクセス方式及びアクセス方式の組み合わせの少なくとも一つ毎に、リソースブロックの割り当て位置を示す割当情報とアクセス方式とを対応付けたフォーマットから選択したフォーマットと、通信環境及び通信状態の少なくとも１つと、前記決定したアクセス方式とを用いて決定した割当情報を通知することを特徴とする請求項２９から３２のいずれかに記載の通信方法。
【請求項３５】
前記割当情報は、周波数軸上におけるリソースブロックの割り当て位置を示す情報であることを特徴とする請求項３４に記載の通信方法。
【請求項３６】
前記割当情報は、時間軸上におけるリソースブロックの割り当て位置を示す情報であることを特徴とする請求項３４に記載の通信方法。
【請求項３７】
データ送信の送信制御の内容を示す制御信号識別子とアクセス方式とを対応付けたテーブルが記録されている記録部の中から、前記決定したアクセス方式に対応付けられている制御信号識別子を検索し、検索した制御信号識別子を前記通信相手局に通知することを特徴とする請求項２８に記載の通信方法。
【請求項３８】
端末のプログラムであって、前記プログラムは前記端末を、
基地局が対応しているアクセス方式に関する情報が記された制御情報である基地局候補情報を用いて、前記基地局との間で使用することができるアクセス方式を予め認識し、データ通信時に決定する前記認識したアクセス方式のいずれかのアクセス方式を用いて前記基地局とデータ通信するように機能させることを特徴とするプログラム。
【請求項３９】
基地局のプログラムであって、前記プログラムは、前記基地局を、
移動局が対応しているアクセス方式に関する情報が記された制御情報である移動局候補情報を用いて、前記移動局との間で使用することができるアクセス方式を予め認識し、データ通信時に決定する前記認識したアクセス方式のいずれかのアクセス方式を用いて前記移動局とデータ通信するように機能させることを特徴とするプログラム。
【発明の詳細な説明】
【技術分野】
【０００１】
本願は、複数のアクセス方式を使用することができる無線通信システムにおいて、データ通信で用いるアクセス方式を決定する技術に関する。
【背景技術】
【０００２】
3rd Generation Partnership Project(3GPP)で標準化されているLong Term Evolution(ＬＴＥ)の上りリンクのアクセス方式はSingle Carrier-Frequency Division Multiplexing Access (ＳＣ−ＦＤＭＡ)が採用されている。(周波数領域でサブキャリアマッピングを行なう送信機構成の場合、Discrete Fourier Transform-spread-Orthogonal Frequency Division Multiplexing(DFT-s-ＯＦＤＭ)とも呼ばれる)。その理由として、ピーク対平均雑音電力比 (Peak to Average Power Ratio：ＰＡＰＲ) が小さいために、カバレッジが大きくできることが挙げられる。【０００３】
伝搬路が周波数選択性フェージングとなる環境では、周波数領域の伝搬路品質が優れた移動局にリソースブロック(Resource Block:ＲＢ)を割り当てるFrequency-domain channel-dependentスケジューリングを行うことにより、スループットを向上できることが知られている。ここで、リソースブロックは複数のサブキャリアから構成され、ＬＴＥでは１リソースブロックは１２サブキャリアから構成されている。ＳＣ−ＦＤＭＡのリソースブロックマッピングでは、１ＴＴＩ内において各移動局は、周波数軸上で連続するリソースブロックが割り当てられる。【０００４】
現在、３GPPにおいて、下り１Ｇｂｐｓ、上り５００Ｍｂｐｓ程度の通信速度を実現するLTE-Advanced(ＬＴＥ−Ａ)の標準化が開始されており、ＬＴＥの２０ＭＨｚよりも広い帯域幅がサポートされることが有力となっている。【０００５】
現在、広い帯域幅をサポートするＬＴＥ−Ａの上りアクセス方式として、ＯＦＤＭ（Orthogonal Frequency Division Multiplex）を適用することが議論されている。ＯＦＤＭは周波数選択性フェージングへの耐性に優れており、特に高次変調やＭＩＭＯへの適用に適している。また、周波数軸上において不連続なリソースブロックを割り当て可能であるＯＦＤＭは、連続なリソースブロックの割り当てであるＳＣ−ＦＤＭＡと比較し、リソース割り当ての自由度が高いために、より大きなマルチユーザダイバーシチ効果が期待できる。【０００６】
しかし、ＯＦＤＭはＰＡＰＲが大きいという問題がある。広い帯域幅をサポートするＬＴＥ−Ａにおいて、ＬＴＥと同一のカバレッジを実現するにためには、帯域幅に比例して送信電力を増加する必要があるが、ＳＣ−ＦＤＭＡよりもＣＭ（Cubic Metric）が大きいＯＦＤＭでは、ＬＴＥと同等のセルカバレッジを実現するには更なる送信電力密度の増加が必要となってしまう。【０００７】
そこで、ＬＴＥ−Ａの標準化において、通信環境などによって上りリンクのアクセス方式を切り替えることが提案されている。例えば、ＳＣ−ＦＤＭＡとＯＦＤＭを切り替える（非特許文献１,２）。【０００８】
ＳＣ−ＦＤＭＡとＯＦＤＭを切り替える２つのシステムについて以下で説明する。【０００９】
図１は、セル、すなわち基地局が対応しているアクセス方式に応じて移動局がアクセス方式を切り替えるシステムである。同一セル内の移動局が用いるアクセス方式は共通となる。【００１０】
図１中の基地局１は移動局１、２と通信し、基地局２は移動局３、４と通信をする。基地局１がサポートするセルはサイズの大きいマクロセルであり、セル端にいる移動局は送信パワーが不足する状態(パワーリミテッドな環境)となるため、基地局１はＰＡＰＲが小さいＳＣ−ＦＤＭＡを用いて通信する。従って、基地局１と通信する移動局１、２はＳＣ−ＦＤＭＡを用いて通信する。一方、基地局２がサポートするセルはサイズの小さいマイクロセルであり、セル端にいる移動局でも送信パワーに余裕があるため、基地局２は大きなマルチユーザダイバーシチ効果が期待できるＯＦＤＭを用いて通信する。従って、基地局２と通信する移動局３、４は、ＯＦＤＭを用いて通信する。【００１１】
図２は、移動局ごとにアクセス方式を切り替えるシステムである。同一セル内に異なるアクセス方式を用いる移動局が混在することになる。【００１２】
図２中の基地局３は、移動局５−８と通信している。この場合、各移動局は通信環境に応じて最適なアクセス方式を用いることができる。例えば、送信パワーが不足する状態となるセル端に位置している時（移動局５、８）は、ＰＡＰＲが小さいＳＣ−ＦＤＭＡを用いて送信する。一方、送信パワーに余裕がある基地局２に近いところに位置している時（移動局６、７）は、より大きなマルチユーザダイバーシチ効果が期待できるＯＦＤＭを用いて送信する。【００１３】
また、ＬＴＥ−Ａ基地局は、ＳＣ−ＦＤＭＡのアクセス方式に対応しているＬＴＥ移動局もサポートすることがＬＴＥ−Ａシステムにおける要求条件として挙げられている。つまり、ＬＴＥ移動局はＬＴＥ−Ａ基地局、ＬＴＥ基地局のいずれのセル内においても問題なく通信できる必要がある。
【先行技術文献】
【非特許文献】
【００１４】
【非特許文献１】3GPP R1-081752 NEC, “Proposals on PHY related aspects in LTE Advanced”
【非特許文献２】3GPP R1-081791 Panasonic, “Technical proposals and considerations for LTE advanced”
【発明の開示】
【発明が解決しようとする課題】
【００１５】
移動局ごとにアクセス方式を切り替えるシステムの場合、アクセス方式の切り替えの度に各移動局は切り替えるアクセス方式の情報を送信することが一般的に考えられる。例えば、切り替えるアクセス方式が２種類であるとした場合、切り替えるアクセス方式の情報を下り制御信号であるPhysical Downlink Control Channel(ＰＤＣＣＨ)を用いて送信すると、１移動局あたり１ビット必要であり、１ＴＴＩ内で多重される移動局数×１ビットを送信するためのＰＤＣＣＨリソースが１ＴＴＩ毎に新たに必要となる。また、切り替えるアクセス方式の種類が増えれば、その種類に応じて必要となるビット数も増えることになる。【００１６】
また、ＬＴＥ−Ａ基地局は、ＳＣ−ＦＤＭＡのアクセス方式に対応しているＬＴＥ移動局もサポートする必要がある。したがって、ＬＴＥ−Ａの標準化において、現状のＬＴＥのスペックに対応しているＬＴＥ移動局の動作に影響を与えるような変更は認められない。【００１７】
本発明が解決しようとする課題は、通信で用いるアクセス方式を効率的に決定する技術を提供することにある。
【課題を解決するための手段】
【００１８】
上記課題を解決する本発明は、通信システムであって、通信相手局が対応しているアクセス方式に関する情報が記された制御情報である相手局候補情報を用いて、前記通信相手局との間で使用することができるアクセス方式を予め認識し、前記通信相手局とのデータ通信で用いるアクセス方式を、該データ通信時に、前記認識したアクセス方式のいずれかに決定することを特徴とする。【００１９】
上記課題を解決する本発明は、端末であって、基地局が対応しているアクセス方式に関する情報が記された制御情報である基地局候補情報を用いて、前記基地局との間で使用することができるアクセス方式を予め認識し、データ通信時に決定する前記認識したアクセス方式のいずれかのアクセス方式を用いて前記基地局とデータ通信することを特徴とする。【００２０】
上記課題を解決する本発明は、基地局であって、移動局が対応しているアクセス方式に関する情報が記された制御情報である移動局候補情報を用いて、前記移動局との間で使用することができるアクセス方式を予め認識し、データ通信時に決定する前記認識したアクセス方式のいずれかのアクセス方式を用いて前記移動局とデータ通信することを特徴とする。【００２１】
上記課題を解決する本発明は、通信方法であって、通信相手局が対応しているアクセス方式に関する情報が記された制御情報である相手局候補情報を用いて、前記通信相手局との間で使用することができるアクセス方式を予め認識し、前記通信相手局とのデータ通信で用いるアクセス方式を、該データ通信時に、前記認識したアクセス方式のいずれかに決定することを特徴とする。【００２２】
上記課題を解決する本発明は、端末のプログラムであって、前記プログラムは前記端末を、基地局が対応しているアクセス方式に関する情報が記された制御情報である基地局候補情報を用いて、前記基地局との間で使用することができるアクセス方式を予め認識し、データ通信時に決定する前記認識したアクセス方式のいずれかのアクセス方式を用いて前記基地局とデータ通信するように機能させることを特徴とする。【００２３】
上記課題を解決する本発明は、基地局のプログラムであって、前記プログラムは、前記基地局を、移動局が対応しているアクセス方式に関する情報が記された制御情報である移動局候補情報を用いて、前記移動局との間で使用することができるアクセス方式を予め認識し、データ通信時に決定する前記認識したアクセス方式のいずれかのアクセス方式を用いて前記移動局とデータ通信するように機能させることを特徴とする。
【発明の効果】
【００２４】
本発明の効果は、移動局ごとにアクセス方式の切り替えるシステムにおいて、アクセス方式の切り替えにおいて必要となる制御情報のオーバーヘッドを小さくすることにある。
【図面の簡単な説明】
【００２５】
【図１】アクセス方式を基地局毎に切り替える通信システムを示す図である。
【図２】アクセス方式を移動局毎に切り替える通信システムを示す図である。
【図３】第１の実施形態の通信システムにおける基地局の主要構成を示すブロック図である。
【図４】第１の実施形態の通信システムにおける移動局の主要構成を示すブロック図である。
【図５】第１の実施形態における基地局および移動局の動作フローを示す図である。
【図６】第１実施形態における実施例１のＭＣＳテーブルを示す図である。
【図７】第１実施形態における実施例１のＭＣＳテーブルを示す図である。
【図８】第１実施形態における実施例２のＭＣＳテーブルを示す図である。
【図９】第２の実施形態を適用した移動通信システムにおける基地局の主要構成を示すブロック図である。
【図１０】第２の実施形態における基地局および移動局の動作フローを示す図である。
【図１１】第２の実施形態におけるアクセス方式に割り当てる周波数軸上のリソースブロック位置を示す通知を説明する図である。
【図１２】第２実施形態における実施例４のＭＣＳテーブルを示す図である。
【図１３】第３の実施形態におけるアクセス方式に割り当てる時間軸上のリソースブロック位置を示す通知を説明する図である。
【図１４】アクセス方式の候補について説明する図である。
【図１５】第５の実施形態における基地局および移動局の動作フローを示す図である。
【符号の説明】
【００２６】
２００          基地局
３００          移動局
【発明を実施するための最良の形態】
【００２７】
本発明は、通信相手局に対して通常通知される報知情報及び移動局個々に通知される制御情報から、移動局と基地局との通信で用いられるアクセス方式を互いに認識してからデータ通信することを特徴とする。【００２８】
本発明に係るアクセス方式の認識に関して、図面を参照して説明する。尚、以下では、ＬＴＥ−Ａ基地局および移動局はアクセス方式としてＳＣ−ＦＤＭＡとＯＦＤＭとをサポートし、ＬＴＥ基地局および移動局はＳＣ−ＦＤＭＡをサポートするものとして説明する。【００２９】
（第１の実施形態）
本発明の第１の実施形態では、基地局から同一セル内の移動局（ＵＥ）に対して共通に報知される変調方式および符号化率(ＭＣＳ：Modulation and Coding Scheme)を移動局が読み替えることによってデータ通信時に用いるアクセス方式を認識してアクセス方式を切り替えることを特徴とする。【００３０】
図３は本発明の第１実施形態による移動無線システムにおけるＬＴＥ−Ａ基地局の概略的構成を示すブロック図である。【００３１】
基地局２００の無線通信部２０１は、移動局からのリファレンス信号、制御信号およびデータ信号を受信し、リファレンス信号をＣＱＩ測定部２０２へ、制御信号およびデータ信号をサイクリックプレフィックス除去部２０７にそれぞれ出力する。なお、リファレンス信号は、データの復調に用いるdemodulationリファレンス信号と上りリンクのＣＱＩ測定やLink Adaptationなどに用いるSoundingリファレンス信号とがある。【００３２】
ＣＱＩ測定部２０２は、スケジューラ２０３が指定した移動局のＣＱＩ測定依頼に応じて、無線通信部２０１から得られたSoundingリファレンス信号を用いてＣＱＩ測定を行い、測定したＣＱＩ値をスケジューラ２０３に戻す。【００３３】
スケジューラ２０３は、アクセス方式選択部２０４およびＭＣＳテーブル記憶部２０５を持つ。アクセス方式選択部２０４は制御部２０６の制御下で、ＣＱＩ測定値、パワーコントロールのターゲット値、パワーヘッドルーム、ＭＣＳ、送信ストリーム数などによって当該移動局との通信で用いることができるアクセス方式の候補の中からアクセス方式を決定する。また、候補となるアクセス方式及びアクセス方式の組み合わせにより一意に決定するＭＣＳテーブルをＭＣＳテーブル記憶部２０５から参照して、ＣＱＩ測定値、パワーコントロールのターゲット値、パワーヘッドルーム、割り当てるリソースブロック数、送信ストリーム数などによってＭＣＳを選択し、そのＭＣＳを一意に識別するＭＣＳ制御情報を制御信号生成部２１６へ出力する。さらに、スケジューラ２０３は決定したアクセス方式に応じたリソースブロックの割当を行い、そのリソース割当情報を制御信号生成部２１６へ出力する。ＭＣＳテーブル記憶部２０５に記憶されている各ＭＣＳテーブルは、ＭＣＳを一意に識別する制御情報と、変調方式および符号化率が示されたＭＣＳとが対応付けられている。そして、このＭＣＳテーブルは、候補となるアクセス方式及びアクセス方式の組み合わせに応じて用意されている。【００３４】
制御信号生成部２１６は、当該移動局に対するＭＣＳの制御情報およびリソース割当情報を含む制御信号を生成し、無線通信部２０１を通して当該移動局へ送信する。また、自局がサポートしているアクセス方式を示す基地局側候補情報を各移動局に報知するための制御信号を生成し、無線通信部２０１を通して送信する。【００３５】
制御部２０６は基地局全体の動作制御を行う。例えば、スケジューラ２０３のスケジューリングは制御部２０６の制御の下で行われる。一般的に、制御部２０６はプログラム制御プロセッサ上で制御プログラムを実行することでリソース割当制御等の各種制御を行う。【００３６】
サイクリックプレフィックス除去部２０７は、無線通信部２０１から出力された制御信号およびデータ信号のサイクリックプレフィックスを除去し、IFFT部２０８に出力する。【００３７】
IFFT部２０８は、サイクリックプレフィックス除去部２０７から出力された制御信号およびデータ信号を周波数領域の信号に変換する。【００３８】
サブキャリアデマッピング部２０９は、制御部２０６から入力されたサブキャリアマッピング情報を用いて、マッピングされたサブキャリアを元に戻す。【００３９】
周波数等化部２１０は、伝搬路のフェージングによる振幅変動および位相変動を補償する周波数領域等化を行う。【００４０】
アクセス方式切替部２１１は、制御部２０６から入力されたアクセス方式に関する情報がＳＣ−ＦＤＭＡを示している場合はＩＤＦＴ部２１２に、ＯＦＤＭを示している場合はパラレルシリアル変換部（P/S部）２１３にデータを出力するように切り替える。【００４１】
ＩＤＦＴ部２１２は入力された信号を時間領域の信号に変換し、Ｐ/Ｓ部２１３は入力された信号を並列の信号に変換し、制御信号は制御信号復調部２１４に出力し、データ信号はデータ信号復調部２１５に出力する。【００４２】
制御信号復調部２１４では、制御信号を復調し、スケジューラ２０３に出力する。一方、データ信号復調部２１５では、データ信号を復調する。【００４３】
続いて、ＬＴＥ基地局の構成について説明する。ＬＴＥ基地局の構成は、ＬＴＥ−Ａに対応している上記基地局の構成と比べて、アクセス方式選択部２０４、アクセス方式切り替え部２１１およびP/S変換部２１３のブロックを有さない。また、ＭＣＳテーブル記憶部２０５に記憶されているＭＣＳテーブルは、ＳＣ−ＦＤＭＡに対応するＭＣＳテーブル１つとなる。このほかの構成は上記ＬＴＥ−Ａ基地局と同一の構成となるため、説明は省略する。【００４４】
図４は本発明の第１実施形態による移動無線システムにおけるＬＴＥ−Ａに対応している移動局の概略的構成を示すブロック図である。【００４５】
図４において、移動局３００の無線通信部３０１は、基地局２００から受信した下り制御信号および／または下りデータを復調し、復調した制御信号を制御情報抽出部３０２へ出力する。制御情報抽出部３０２はリソース割当情報を抽出し、制御部３０３に出力する。【００４６】
制御部３０３は、リソース割当情報に従い、データ生成部３０４、制御信号生成部３０５、リファレンス信号生成部３０６、アクセス方式切り替え部３０７およびサブキャリアマッピング部３１０をそれぞれ制御する。また、制御部３０３はＭＣＳテーブルを複数保持しており、ＭＣＳテーブルはアクセス方式の候補の組み合わせに応じて用意されている。このＭＣＳテーブルは、ＭＣＳを一意に識別する制御情報と、変調方式及び符号化率を示すＭＣＳとが対応付けられている。移動局は基地局から通知されるＭＣＳの制御情報に基づいて、この制御情報に対応付けられているＭＣＳを読み出し、サブキャリアマッピング部３１０に通知する。制御部３０３は、両局間で用いることができるアクセス方式の候補により一意に決定されるＭＣＳテーブルを選択して、その基地局との通信ではその選択したＭＣＳテーブルを参照してＭＣＳを読み出す。また、初期アクセス時に自装置がサポートしているアクセス方式を示す移動局側候補情報を基地局に送信後、基地局がサポートしているアクセス方式を示す基地局側候補情報が基地局から送信されるかを確認する。【００４７】
制御信号生成部３０５は、基地局へ初期アクセスする際、自装置がサポートしているアクセス方式を示す情報を生成する。データ生成部３０４、制御信号生成部３０５およびリファレンス信号生成部３０６により生成されたデータ、制御信号、リファレンス信号は、アクセス方式切り替え部３０７に出力される。アクセス方式切り替え部３０７は制御部３０３の制御に従い、アクセス方式がＳＣ−ＦＤＭＡの場合にはＤＦＴ(離散型フーリエ変換)部３０８に出力し、ＯＦＤＭの場合にはＳ／Ｐ(シリアルパラレル)変換部３０９に出力する。【００４８】
ＳＣ−ＦＤＭＡ信号はＤＦＴ部３０８により周波数領域の信号に変換し、ＯＦＤＭ信号はS/P変換部３０９によりパラレル信号に変換した後、各信号はそれぞれサブキャリアマッピング部３１０へ出力される。サブキャリアマッピング部３１０は、制御部３０３からのリソース割当情報やＭＣＳの情報に従って、どの周波数領域の信号を送信するかを選択する。サブキャリアマッピングされた周波数領域の信号は、ＩＦＦＴ（Inverse Fast Fourier Transform）部３１１により時間領域の信号に変換され、サイクリックプレフィックス付加部３１２でサイクリックプレフィックス（ＣＰ）が付加される。こうしてサイクリックプレフィックス付加部３１２から出力されるデータ、制御信号およびリファレンス信号は、無線通信部３０１を通して基地局２００へ送信される。【００４９】
続いてＬＴＥ移動局の構成について説明する。ＬＴＥ移動局の構成は、上記のＬＴＥ-Ａ移動局と比べて、アクセス方式切り替え部３０７およびS/P変換部３０９を有していない構成となっている。また、制御信号生成部３０５は、自移動局が対応しているアクセス方式を示す情報を生成しない。また、制御部３０３に記憶されているＭＣＳテーブルは、ＳＣ−ＦＤＭＡに対応するＭＣＳテーブルを１つ保持する。【００５０】
図５は本発明の第１実施形態による基地局および移動局の動作フローを示す。【００５１】
まず、ＬＴＥ−Ａ移動局が基地局と通信する場合について説明する(ステップ４０１のYes)。【００５２】
ＬＴＥ−Ａ移動局は、基地局への初期アクセス時に(例えば、Physical Random Access Channel(ＰＲＡＣＨ)を用いる)自移動局が対応できるアクセス方式(ＳＣ−ＦＤＭＡ、ＯＦＤＭ)を示す移動局側候補情報を制御信号生成部３０５で生成して基地局に通知する(ステップ４０２)。なお、移動局側候補情報は、対応できるアクセス方式を示す情報の代わりに、移動局クラス、移動局がサポートできるシステムのバージョンに関する情報等のように、移動局が対応できるアクセス方式がわかる情報でもよい。以下では、基地局がＬＴＥ−Ａ基地局である場合について説明する(ステップ４０３のYes)。【００５３】
ＬＴＥ−Ａ基地局のスケジューラ２０３は、初期アクセス時に送信（報知）される移動局側候補情報を受信し、この情報と自身がサポートできるアクセス方式とから両局間の通信で使用できるアクセス方式を認識して、保持している複数のＭＣＳテーブルの中からいずれか一つを選択する(ステップ４０４)。ここで、両局間の通信で用いることができるアクセス方式候補は、ＳＣ−ＦＤＭＡおよびＯＦＤＭとなり、ＬＴＥ−Ａ基地局はこれによって一意に決定されるＭＣＳテーブルを選択する。【００５４】
次に、ＬＴＥ−Ａ基地局は、ＬＴＥ−Ａ基地局が対応しているアクセス方式を示す基地局側候補情報を制御信号生成部２１６で生成してＰＢＣＨ(Physical broadcast channel)またはHigher layer signaling(物理チャネルではPhysical Downlink Shared Channel(ＰＤＳＣＨ)にマッピング)を用いて報知する(ステップ４０５)。なお、基地局側候補情報は、対応しているアクセス方式を示す情報の代わりに、基地局がサポートしているシステムのバージョンに関する情報のような、基地局が対応できるアクセス方式がわかる情報でもよい。【００５５】
ＬＴＥ−Ａ移動局の制御部３０３は、自身がサポートできるアクセス方式およびステップ４０５でＬＴＥ−Ａ基地局によって送信された基地局側候補情報から、両局間の通信で使用できるアクセス方式の候補を認識して、保持している複数のＭＣＳテーブルの中からいずれか一つを選択する(ステップ４０６)。ここで、両局間の通信で用いることができるアクセス方式候補は、ＳＣ−ＦＤＭＡおよびＯＦＤＭとなり、ＬＴＥ−Ａ移動局はこれによって一意に決定されるＭＣＳテーブルを選択する。【００５６】
ＬＴＥ−Ａ移動局は、データを基地局に送信するにあたって、リファレンス信号生成部３０６でSoundingリファレンス信号を生成してＬＴＥ−Ａ基地局に送信する(ステップ４０７)。ＬＴＥ−Ａ基地局のＣＱＩ測定部２０２はＬＴＥ−Ａ移動局からのSoundingリファレンス信号を受信しＬＴＥ−Ａ移動局のＣＱＩを測定する(ステップ４０８)。【００５７】
次に、ＬＴＥ−Ａ基地局のアクセス方式選択部２０４はステップ４０７でＣＱＩ測定部２０２が測定したＣＱＩからアクセス方式を決定し、スケジューラ２０３はＣＱＩとＭＣＳ（変調方式及び符号化率）を決定してステップ４０４で選択したＭＣＳテーブルを用いてＭＣＳの制御情報を出力する(ステップ４０９)。この時、制御部２０６は、決定したアクセス方式に応じてアクセス方式切替部２１１を制御する。すなわち、ＳＣ−ＦＤＭＡを用いるときはＩＤＦＴ部２１２に、ＯＦＤＭを用いるときは、Ｐ/Ｓ変換部２１３に切り替えるように、アクセス方式切替部２１１を制御する。【００５８】
次に、ＬＴＥ−Ａ基地局の制御信号生成部２１６は、ステップ４０９で決定したＭＣＳの制御情報を記したＭＣＳ制御情報を生成してＬＴＥ−Ａ移動局に通知する(ステップ４１０)。【００５９】
ＬＴＥ−Ａ移動局の制御部３０３は、受信したＭＣＳ制御情報とステップ４０６で選択したＭＣＳテーブルとを用いて、受信したＭＣＳ制御情報がＳＣ−ＦＤＭＡに対応したＭＣＳであるかを判定する(ステップ４１１)。【００６０】
ステップ４１１においてＹｅｓの場合、制御部３０３はデータがＤＦＴ部３０８に出力されるようにアクセス方式切替部３０７を制御してＳＣ−ＦＤＭＡでデータを送信する（ステップ４１２）。一方、ステップ４１１においてNoの場合、制御部３０３はデータがＳ/Ｐ変換部３０９に出力されるようにアクセス方式切替部３０７を制御してＯＦＤＭでデータを送信する(ステップ４１３)。【００６１】
続いて、基地局がＬＴＥ基地局の場合について説明する(ステップ４０３のNo)。【００６２】
ＬＴＥ基地局は、ＬＴＥ−Ａ移動局の初期アクセス時に送信される信号に含まれる、移動局側候補情報を抽出する処理を行わない（ステップ４１４）。【００６３】
また、ＬＴＥ基地局は、基地局側候補情報を報知しないため、その情報を受信できないＬＴＥ−Ａ移動局は、ＬＴＥ基地局のセル内にいること、即ち、アクセス方式候補はＳＣ−ＦＤＭＡであると制御部３０３が認識する。そして、保持している複数のＭＣＳテーブルの中から、ＳＣ−ＦＤＭＡに対応するＭＣＳテーブルを選択し、さらにデータがＤＦＴ部３０８に出力されるようにアクセス方式切替部３０７を制御する（ステップ４１５）。【００６４】
ＬＴＥ−Ａ移動局は、データを送信するにあたって、リファレンス信号生成部３０６でSoundingリファレンス信号を生成して送信し(ステップ４１６)、ＬＴＥ基地局のＣＱＩ測定部２０２はＬＴＥ−Ａ移動局からのSoundingリファレンス信号を受信しＣＱＩを測定する(ステップ４１７)。【００６５】
次に、ＬＴＥ基地局のスケジューラはステップ４１７で測定したＣＱＩを用いて、ＬＴＥのＭＣＳテーブルに基づきＭＣＳを決定する(ステップ４１８)。【００６６】
ＬＴＥ基地局の制御信号生成部２１６は、ステップ４１８で決定したＭＣＳを記したＭＣＳ情報を生成してＬＴＥ−Ａ移動局に通知する(ステップ４１９)。【００６７】
最後に、ＬＴＥ−Ａ移動局の制御情報抽出部３０２は、受信したＭＣＳ制御信号を抽出し、抽出したＭＣＳ制御信号に対応付けられた変調方式及び符号化率を用いてＳＣ−ＦＤＭＡでデータを送信する(ステップ４２０)。【００６８】
次に、ＬＴＥ移動局が基地局と通信する場合について説明する(ステップ４０１のNo)。【００６９】
ＬＴＥ移動局は、初期アクセスで基地局にアクセスする（ステップ４２１）。ここでは、ＬＴＥ−Ａ基地局の場合について説明する(ステップ４２２のYes)。【００７０】
ＬＴＥ−Ａ基地局のスケジューラ２０３は、ＬＴＥ移動局の初期アクセス時に送信された信号を受信し、移動局側候補情報が含まれていないことにより、通信相手がＬＴＥ移動局、即ち、アクセス方式候補はＳＣ−ＦＤＭＡであることを認識して、保持している複数のＭＣＳテーブルの中からＳＣ−ＦＤＭＡに対応するＭＣＳテーブルを選択する。更に、制御部２０６は、ＩＤＦＴ部２１２に切り替えるように、アクセス方式切替部２１１に制御する。（ステップ４２３）。【００７１】
ＬＴＥ−Ａ基地局の制御信号生成部２１６はＬＴＥ−Ａ基地局が対応するアクセス方式の候補を記した基地局側候補情報を生成してセル内の移動局に報知する（ステップ４２４）。【００７２】
ＬＴＥ移動局は、ステップ４２４でＬＴＥ−Ａ基地局が報知した信号を抽出することができない（ステップ４２５）。【００７３】
次に、上述のステップ４１６−４２０を行うことになる。【００７４】
続いて、ＬＴＥ移動局がＬＴＥ基地局のセルにいる場合について説明する(ステップ４２２のNo)。この場合は、ＬＴＥ同士の通信であり、ＬＴＥ基地局はＬＴＥ移動局の初期アクセス時に送信された信号を受信し、上述のステップ４１６−４２０を行うことになる。【００７５】
尚、上記説明では、ＬＴＥ−Ａ移動局は初期アクセス時に移動局側候補情報を送信する場合を用いて説明したが、スケジューリングリクエスト時やハンドオーバ時等、データを送信する前に移動局側候補情報を送信するようにすれば良い。【００７６】
ここで、基地局および移動局がそれぞれＬＴＥ−Ａ、ＬＴＥに対応している場合、両局間で用いるアクセス方式の候補がどのように認識されるかを、図１４を用いて説明する。【００７７】
図１４に示すように、ＬＴＥ−Ａ基地局のセル内にいるＬＴＥ−Ａ移動局のアクセス方式の候補はＳＣ−ＦＤＭＡおよびＯＦＤＭとなる。一方、ＬＴＥ−Ａ基地局のセル内にいるＬＴＥ移動局は、ＬＴＥ移動局がＳＣ−ＦＤＭＡをサポートしているため、アクセス方式の候補はＳＣ−ＦＤＭＡとなる。また、ＬＴＥ基地局のセル内にいるＬＴＥ−Ａ移動局およびＬＴＥ移動局は、ＬＴＥ基地局がＳＣ−ＦＤＭＡのサポートとなるため、アクセス方式の候補はＳＣ−ＦＤＭＡとなる。つまり、ＬＴＥ−Ａ基地局とＬＴＥ−Ａ移動局との通信以外の場合のアクセス方式の候補は、ＳＣ−ＦＤＭＡになる。【００７８】
(実施例１）
第１の実施形態における実施例について以下で説明する。本実施例で用いるＭＣＳテーブルは、アクセス方式候補が異なる場合では同一のＭＣＳインデックスを使用しないため、移動局はＭＣＳによってアクセス方式を認識できることになる。実施例１では、アクセス方式候補間でＭＣＳのインデックス数が固定であり、アクセス方式候補間で共通のアクセス方式かつ共通のＭＣＳについては同一のＭＣＳインデックスとＭＣＳの対応付けを、異なるアクセス方式間では異なるＭＣＳインデックスとＭＣＳの対応付けを行う。【００７９】
まず、ＬＴＥ−Ａ移動局とＬＴＥ−Ａ基地局とが通信する場合について説明する。【００８０】
この場合、図１４で示したようにアクセス方式の候補はＳＣ−ＦＤＭＡおよびＯＦＤＭとなる。実施例１では、低い送信レートでの送信はＳＣ−ＦＤＭＡを用い、高い送信レートでの送信ではＯＦＤＭを用いるものとする。【００８１】
図６及び図７に第１の実施形態の実施例１で用いるＭＣＳテーブルを示す。ここでは、制御信号が０から１５の１６段階(４ビット)のＭＣＳを用いるものと仮定している。アクセス候補がＳＣ−ＦＤＭＡおよびＯＦＤＭであるとＬＴＥ−Ａ基地局及びＬＴＥ−Ａ移動局が認識すると、図６に示されているような、ＳＣ−ＦＤＭＡおよびＯＦＤＭに対応するＭＣＳテーブルが一意に選択されることになる。ＬＴＥ−Ａ基地局は、ＳＣ−ＦＤＭＡを用いて通信すると決定した場合ＭＣＳの制御信号を０-１２のいずれかを通知し、ＯＦＤＭを用いて通信すると決定した場合ＭＣＳの制御信号を１３-１５のいずれかを通知する。これに応じて、ＬＴＥ−Ａ移動局は、ＭＣＳの制御信号が０-１２である場合はＳＣ−ＦＤＭＡを用い、１３-１５の場合はＯＦＤＭを用いて上りリンクのデータを送信する。【００８２】
次に、ＬＴＥ−Ａ移動局とＬＴＥ−Ａ基地局同士の通信でない場合について説明する。【００８３】
この場合、図１４で示したように移動局のアクセス候補はＳＣ−ＦＤＭＡとなる。したがって、図７に示すような、ＬＴＥで用いられているＭＣＳテーブルを用いることになる。【００８４】
(実施例２）
第１の実施形態における実施例２について以下で説明する。実施例２で用いるＭＣＳテーブルは、実施例１と同様に、アクセス方式の候補が異なる場合では同じＭＣＳインデックスを使用しないため、移動局はＭＣＳの制御情報によってアクセス方式を認識できることになる。実施例２では、アクセス方式候補間でＭＣＳのインデックス数が一定でなく，アクセス方式候補間で共通のアクセス方式かつ共通のＭＣＳについては同一のＭＣＳインデックスとＭＣＳの対応付けを，異なるアクセス方式間では異なるＭＣＳインデックスを用いる。【００８５】
まず、ＬＴＥ−Ａ移動局とＬＴＥ−Ａ基地局が通信する場合について説明する。この場合、図１４で示したようにアクセス方式の候補はＳＣ−ＦＤＭＡおよびＯＦＤＭとなる。アクセス候補がＳＣ−ＦＤＭＡおよびＯＦＤＭであるとＬＴＥ−Ａ基地局及びＬＴＥ−Ａ移動局が認識すると、図８に示されているような、ＳＣ−ＦＤＭＡおよびＯＦＤＭに対応するＭＣＳテーブルが一意に選択されることになる。ここでは、０から３１の３２段階(５ビット)のＭＣＳ制御信号を用いるもとの仮定している。ＬＴＥ−Ａ基地局は、ＳＣ−ＦＤＭＡを用いて通信すると決定した場合ＬＴＥのＭＣＳテーブル(図７)と同じＭＣＳの制御信号を０-１５のいずれかを通知し、ＯＦＤＭを用いて通信すると決定した場合ＭＣＳの制御信号を１６-３１のいずれかを通知する。これに応じて、ＬＴＥ−Ａ移動局は、ＭＣＳ制御信号が０-１５のいずれかの場合ＳＣ−ＦＤＭＡを用いる。一方、ＭＣＳの制御信号が１６-３１のいずれかの場合、ＯＦＤＭを用いることになる。【００８６】
次に、ＬＴＥ−Ａ移動局とＬＴＥ−Ａ基地局同士の通信でない場合について説明する。この場合、図１４で示したように移動局のアクセス候補はＳＣ−ＦＤＭＡとなるため、ＭＣＳテーブル(図７)を用いることになり、移動局は０-１５のいずれかを示す４ビットのＭＣＳ制御信号を抽出することになる。【００８７】
上記第１の実施形態を用いると、ＬＴＥでのＭＣＳの通知を変えることなくアクセス方式の切り替えが可能である。従って、基地局及び移動局のどちらか一方が、単一のアクセス方式を用いて通信する機器であっても、問題なく通信ができる。【００８８】
また、移動局ごとにアクセス方式を切り替えるために必要最低限な報知情報と、通常、移動局個々に通知されている下り制御情報を関係付けることによりアクセス方式を切り替えるため、特に新しいアクセス方式に関する追加の通知を必要とせず、それ故にオーバーヘッドを小さくすることができる。【００８９】
(第２の実施形態)
第２の実施形態では、基地局がそれぞれのアクセス方式に割り当てるリソースブロックの位置を予め設定し、移動局は割り当てられたリソースブロックの位置からアクセス方式を判断する。なお、基地局のスケジューラ２０３は、それぞれの移動局のアクセス方式を考慮した上でリソースブロックを割り当てる。【００９０】
本発明の第２実施形態による移動無線システムにおける基地局の概略的構成を図９に示す。図３を用いて説明した第１の実施形態と同様の構成については同一の番号を付番し、異なる部分を説明する。【００９１】
第２の実施形態における基地局ではアクセス方式フォーマット設定部８００が加わっている。アクセス方式フォーマット設定部８００は各アクセス方式に応じて、割り当てるリソースブロック位置(リソースフォーマット)を設定する。リソースフォーマットは工場出荷時に設定されていてもよいし、設置時あるいは設置後に適宜設定あるいは更新されてもよい。設定されたリソースフォーマットを参照し、スケジューラ２０３はアクセス方式を考慮しながらリソースブロックをそれぞれの移動局に割り当てる。アクセス方式フォーマット選択部８００により、決定されたリソースブロック割り当てフォーマットに関する情報は、制御信号生成部２１６に入力され、無線通信部２０１を通して移動局に報知される。【００９２】
本発明の第２実施形態による移動無線システムにおけるＬＴＥ−Ａ移動局の概略的構成は図４と同一である。第１の実施形態と異なる点としては、制御信号として報知された各アクセス方式に割り当てるリソース位置を示すリソースフォーマット情報は、無線通信部３０１を通して受信され、制御情報抽出部３０２により抽出される。次に、リソースフォーマット情報は制御部３０３に入力され、アクセス方式切り替え部３０７の制御に用いられる。【００９３】
図１０は本発明の第２実施形態による基地局および移動局の動作フローを示す。【００９４】
まず、ＬＴＥ−Ａ移動局が基地局と通信する場合について説明する(ステップ９０１のYes)。【００９５】
ＬＴＥ−Ａ移動局は初期アクセス時に(例えば、Physical Random Access Channel(ＰＲＡＣＨ)を用いる)自移動局が対応しているアクセス方式(ＳＣ−ＦＤＭＡおよびＯＦＤＭ)を示す移動局側候補情報を制御信号生成部３０５で生成して基地局に通知する(ステップ９０２)。なお、移動局候補情報は、対応しているアクセス方式を示す情報の代わりに、移動局クラス、移動局がサポートしているシステムのバージョン等のように、移動局が対応しているアクセス方式がわかる情報でもよい。【００９６】
以下では、基地局がＬＴＥ−Ａ基地局の場合について説明する(ステップ９０３のYes)。【００９７】
ＬＴＥ−Ａ基地局のスケジューラ２０３は、初期アクセス時に送信された移動局候補情報を受信し、この情報と自身がサポートできるアクセス方式とから両局間の通信で使用できるアクセス方式を認識する(ステップ９０４)。【００９８】
次に、ＬＴＥ−Ａ基地局は、この基地局が対応しているアクセス方式を示す基地局側候補情報制御信号生成部２１６で生成して、アクセス方式に応じて割り当てるリソースブロック位置を示すリソースフォーマットと共にＰＢＣＨ(Physical broadcast channel)またはHigher layer signaling(物理チャネルではPhysical Downlink Shared Channel(ＰＤＳＣＨ)にマッピング)を用いて報知する(ステップ９０５)。なお、基地局側候補情報は、対応しているアクセス方式を示す情報の代わりに、基地局がサポートしているシステムのバージョンに関する情報のような、基地局が対応できるアクセス方式がわかる情報でもよい。【００９９】
ＬＴＥ−Ａ移動局の制御部３０３は、自身がサポートしているアクセス方式およびステップ９０５でＬＴＥ−Ａ基地局によって送信された基地局側候補情報から、両局間の通信で使用できるアクセス方式の候補を認識する。(ステップ９０６)。ここで、両局間での通信で用いることができるアクセス方式の候補が複数のアクセス方式で構成されている場合、ステップ９０５で送信されているリソースフォーマットを制御情報抽出部３０２が抽出する。【０１００】
ＬＴＥ−Ａ移動局は、データを基地局に送信するにあたって、リファレンス信号生成部３０６でSoundingリファレンス信号を生成してＬＴＥ−Ａ基地局に送信する(ステップ９０７)。ＬＴＥ−Ａ基地局のＣＱＩ測定部２０２はＬＴＥ−Ａ移動局からのSoundingリファレンス信号を受信しＬＴＥ−Ａ移動局のＣＱＩを測定する(ステップ９０８)。【０１０１】
次に、ＬＴＥ−Ａ基地局のスケジューラ２０３は、ステップ９０７でＣＱＩ測定部２０２が測定したＣＱＩを用いてアクセス方式を決定した後、変調方式及び符号化率（ＭＣＳ）を選択し、アクセス方式に応じて割り当てるリソースフォーマットに対応するリソースブロックを割り当てる(ステップ９０９)。この時、制御部２０６は、決定したアクセス方式に応じて、すなわち、ＳＣ−ＦＤＭＡを用いるときはＩＤＦＴ部２１２に、ＰＦＤＭを用いるときは、Ｐ/Ｓ変換部２１３に切り替えるようにアクセス方式切替部２１１を制御する。【０１０２】
次に、ＬＴＥ−Ａ基地局の制御信号生成部２１６は、ＭＣＳ制御情報およびリソースブロック割り当て情報を生成してＬＴＥ−Ａ移動局に通知する(ステップ９１０)。【０１０３】
ＬＴＥ−Ａ移動局の制御情報抽出部３０２は、受信した制御情報からＭＣＳ制御信号とリソースブロック割り当て情報とを抽出し、抽出したリソースブロック割り当て情報に示されているリソースブロックの位置に基づいてＳＣ−ＦＤＭＡに対応したリソースブロックであるかを判定する(ステップ９１１)。【０１０４】
ステップ９１１においてＹｅｓの場合、制御部３０３はデータがＤＦＴ部３０８に出力されるようにアクセス方式切替部３０７を制御し、ステップ９１１で制御情報抽出部３０２が抽出したＭＣＳを用いてＳＣ−ＦＤＭＡでデータを送信する（ステッ９１２）。ステップ９１１においてＮｏの場合、制御部３０３はデータがＳ/Ｐ変換部３０９に出力されるようにアクセス方式切替部３０７を制御し、ステップ９１１で制御情報抽出部３０２が抽出したＭＣＳを用いてＯＦＤＭでデータを送信する(ステップ９１３)。【０１０５】
次に、基地局がＬＴＥ基地局の場合について説明する(ステップ９０３のＮｏ)。【０１０６】
ＬＴＥ基地局は、ＬＴＥ−Ａ移動局の初期アクセス時に送信される信号に含まれる移動局側候補情報を抽出する処理を行わない（ステップ９１４）。【０１０７】
また、ＬＴＥ基地局は、基地局側候補情報を報知しないため、その報知情報を受信できないＬＴＥ−Ａ移動局は、ＬＴＥ基地局のセル内にいること、即ち、アクセス方式候補はＳＣ−ＦＤＭＡであると制御部３０３が認識する。そして、データがＤＦＴ部３０８に出力されるようにアクセス方式切替部３０７を制御する（ステップ９１５）。【０１０８】
ＬＴＥ−Ａ移動局は、データを送信するにあたって、リファレンス信号生成部３０６でSoundingリファレンス信号を生成して送信し(ステップ９１６)、ＬＴＥ基地局のＣＱＩ測定部２０２はＬＴＥ−Ａ移動局からのSoundingリファレンス信号を受信しＣＱＩを測定する(ステップ９１７)。【０１０９】
次に、ＬＴＥ基地局のスケジューラはステップ９１７で測定したＣＱＩを用いて、ＭＣＳの決定及びリソースブロックの割り当てを行う(ステップ９１８)。【０１１０】
ＬＴＥ基地局の制御信号生成部２１６は、ＭＣＳの制御信号及びリソースブロック割り当て情報を生成してＬＴＥ−Ａ移動局に通知する(ステップ９１９)。【０１１１】
最後に、ＬＴＥ−Ａ移動局の制御情報抽出部３０２は、受信したＭＣＳ制御信号及びリソースブロック割り当て情報を抽出し、抽出したＭＣＳ制御信号に対応付けられた変調方式及び符号化率を用いてＳＣ−ＦＤＭＡでデータを送信する(ステップ９２０)。【０１１２】
次に、ＬＴＥ移動局が基地局と通信する場合について説明する(ステップ９０１のNo)。【０１１３】
ＬＴＥ移動局は、初期アクセスで基地局にアクセスする（ステップ９２１）。ここでは、ＬＴＥ−Ａ基地局の場合について説明する(ステップ９２２のYes)。【０１１４】
ＬＴＥ−Ａ基地局のスケジューラ２０３は、ＬＴＥ移動局の初期アクセス時に送信された信号を受信し、移動局側候補情報が含まれていないことにより、通信相手がＬＴＥ移動局、即ち、アクセス方式候補はＳＣ−ＦＤＭＡであることを認識し、更に、制御部２０６は、ＩＤＦＴ部２１２に切り替えるように、アクセス方式切替部２１１に制御する。する（ステップ９２３）。【０１１５】
ＬＴＥ−Ａ基地局の制御信号生成部２１６はＬＴＥ−Ａ基地局が対応するアクセスアクセス方式の候補を記した基地局側候補情報を生成し、アクセス方式に応じて割り当てる帯域のフォーマットと共に報知する（ステップ９２４）。【０１１６】
ＬＴＥ移動局は、ステップ９２４でＬＴＥ−Ａ基地局が報知した信号を抽出することができない（ステップ９２５）。【０１１７】
次に、上述のステップ９１６−９２０を行うことになる。【０１１８】
ＬＴＥ移動局がＬＴＥ基地局のセルにいる場合について説明する(ステップ９２２のNo)。この場合は、ＬＴＥ同士の通信であり、ＬＴＥ基地局は初期アクセス時に送信された信号を受信し、上述のステップ９１６−９２０を行うことになる。【０１１９】
尚、上記説明では、ＬＴＥ−Ａ移動局は初期アクセス時に移動局側候補情報を送信する場合を用いて説明したが、スケジューリングリクエスト時やハンドオーバ時等、データを送信する前に移動局側候補情報を送信するようにすれば良い。【０１２０】
次に、第２の実施形態におけるアクセス方式に割り当てるリソースブロックの割り当てフォーマットに関する通知方法について図１１を用いて説明する。ここでは、リソースブロック数を１００とし、リソースフォーマットを一意に識別するリソースフォーマット通知情報として２ビット、４パターンのリソースフォーマットを通知する例である。【０１２１】
例えば、２ビットで００を通知した場合は、すべてのリソースブロックにおいてＯＦＤＭを用いる。２ビットで０１を通知した場合は、中央の５０ＲＢはＯＦＤＭ、その他両端の２５ＲＢずつ、合計５０ＲＢはＳＣ−ＦＤＭＡを用いる。２ビットで１０を通知した場合は、中央の２０ＲＢはＯＦＤＭ、その他両端の４０ＲＢずつ、合計８０ＲＢはＳＣ−ＦＤＭＡを用いる。２ビットで１１を通知した場合は、すべてのリソースブロックにおいてＳＣ−ＦＤＭＡを用いる。【０１２２】
（実施例３）
第２の実施形態における実施例３で用いるＭＣＳテーブルついて以下で説明する。実施例３で用いるＭＣＳテーブルは、移動局が認識したアクセス方式ごとに異なるＭＣＳテーブルを用いる。ＯＦＤＭで通信する場合には、図１２に示されるＭＣＳテーブルを使用し、ＳＣ−ＦＤＭＡで通信する場合には図７に示されるＭＣＳテーブルを使用する。図１２に示されるＭＣＳテーブルは、０から１６の３２段階(４ビット)のＭＣＳを用いるもとの仮定している。【０１２３】
まず、ＬＴＥ−Ａ移動局とＬＴＥ−Ａ基地局とが通信する場合について説明する。この場合、図１４で示したように移動局と基地局との通信で用いられるアクセス方式の候補はＳＣ−ＦＤＭＡおよびＯＦＤＭとなる。自局に割り当てられたリソースブロックの位置がＳＣ−ＦＤＭＡで通信することを示していると認識した場合、移動局は図７で示されるＬＴＥと同じＭＣＳテーブルを用いることになる。一方、リソースブロックの位置がＯＦＤＭで通信することを示していると認識した場合、移動局は図１２に示されているような、ＳＣ−ＦＤＭＡで用いられるＭＣＳテーブル（図７）とは異なるＭＣＳテーブルを用いる。【０１２４】
次に、ＬＴＥ−Ａ移動局とＬＴＥ−Ａ基地局同士の通信でない場合について説明する。この場合、図１４で示したように移動局と基地局との通信で用いられるアクセス方式の候補はＳＣ−ＦＤＭＡとなる。従って、移動局はＳＣ−ＦＤＭＡで用いられるＭＣＳテーブル(図７)を用いることになる。【０１２５】
上記第２の実施形態によると、追加の報知情報はリソースフォーマットに関する数ビットの制御信号となり、ＴＴＩごとに各移動局に使用するアクセス方式に関する追加の制御情報を送る必要がないため、オーバーヘッドを削減できる。【０１２６】
(第３の実施形態)
第２の実施形態では、基地局がそれぞれのアクセス方式に割り当てる周波数軸上におけるリソースブロックの位置を予め設定していた。第３の実施形態では、基地局がそれぞれのアクセス方式に割り当てる時間軸上におけるリソースブロックの位置を予め設定し、移動局は割り当てられたリソースブロックの位置からアクセス方式を判断する。なお、基地局のスケジューラは、それぞれの移動局のアクセス方式を考慮した上でリソースブロックを割り当てる。【０１２７】
本発明の第３実施形態による移動無線システムにおけるＬＴＥ−Ａ基地局およびＬＴＥ−Ａ移動局の概略的構成はそれぞれ図９、図４と同一であるため、同様の構成については同一番号を付し、詳細な説明は省略する。【０１２８】
また、本発明の第３実施形態による基地局および移動局の動作フローは、第２の実施形態におけるアクセス方式に割り当てる周波数軸上におけるリソースブロックの位置がアクセス方式に割り当てる時間軸上におけるリソースブロックの位置に変更すれば良いため、説明は省略する。【０１２９】
次に、第３の実施形態におけるアクセス方式に割り当てる時間フレームの割り当てフォ-マットに関する通知方法について図１３を用いて説明する。ここでは、時間フレームを１０とし、リソースフォーマットを一意に識別するリソースフォーマット通知情報として２ビット、４パターンのリソースフォ-マットを通知する例である。【０１３０】
例えば、２ビットで００を通知した場合は、すべての１０個の時間フレームにおいてＯＦＤＭを用いる。２ビットで０１を通知した場合は、最初の５個の時間フレームはＳＣ−ＦＤＭＡ、次の５個の時間フレームはＯＦＤＭを用いる。２ビットで１０を通知した場合は、最初の７個の時間フレームはＳＣ−ＦＤＭＡ、次の３個の時間フレームはＯＦＤＭを用いる。２ビットで１１を通知した場合は、すべての時間フレームにおいてＳＣ−ＦＤＭＡを用いる。【０１３１】
上記第３の実施形態によると、追加の報知情報はリソースフォ-マットに関する数ビットの制御信号となり、ＴＴＩごとに各移動局に使用するアクセス方式に関する追加の制御情報を送る必要がないため、オーバーヘッドを削減できる。【０１３２】
(第４の実施形態)
本発明の第４の実施の形態は、ＬＴＥにもＬＴＥ−Ａにも対応できるＭＣＳテーブルを１つ、ＬＴＥ−Ａ基地局及びＬＴＥ−Ａ移動局に保持させ、ＭＣＳの制御信号によって、アクセス方式を切り替える場合について説明する。【０１３３】
本実施の形態における基地局及び移動局は、実施の形態１の説明で使用した図３及び図４とほぼ同じであるため、異なる部分について説明する。【０１３４】
ＬＴＥ−Ａ移動局及びＬＴＥ−Ａ基地局が保持するＭＣＳテーブルは１つである。このＭＣＳテーブルのインデックスの数は、ＬＴＥで使用されているＭＣＳテーブルのインデックスの数より多く、ＬＴＥで使用されているＭＣＳテーブルに追加して、ＯＦＤＭ方式で通信するときに用いられるＭＣＳが追加インデックス部分に示されている。【０１３５】
第４実施形態による基地局および移動局の動作フローは実施の形態とほぼ同じであるため図５を用いて説明する。【０１３６】
まず、ＬＴＥ−Ａ移動局が基地局と通信する場合について説明する(ステップ４０１のYes)。【０１３７】
ＬＴＥ−Ａ移動局は、基地局への初期アクセス時に(例えば、Physical Random Access Channel(ＰＲＡＣＨ)を用いる)自移動局が対応できるアクセス方式(ＳＣ−ＦＤＭＡ、ＯＦＤＭ)を示す移動局側候補情報を制御信号生成部３０５で生成して基地局に通知する(ステップ４０２)。なお、移動局側候補情報は、対応できるアクセス方式を示す情報の代わりに、移動局クラス、移動局がサポートできるシステムのバージョンに関する情報等のように、移動局が対応できるアクセス方式がわかる情報でもよい。以下では、基地局がＬＴＥ−Ａ基地局である場合について説明する(ステップ４０３のYes)。【０１３８】
ＬＴＥ−Ａ基地局のスケジューラ２０３は、初期アクセス時に送信された移動局側候補情報を受信し、この情報と自身がサポートできるアクセス方式とから両局間の通信で使用できるアクセス方式を認識して、保持しているＭＣＳテーブルの内どの部分のインデックス（ＭＣＳの制御信号）が用いられるかを認識する(ステップ４０４)。ここで、両局間の通信で用いることができるアクセス方式候補は、ＳＣ−ＦＤＭＡおよびＯＦＤＭとなり、ＬＴＥ−Ａ基地局はこれによってＭＣＳテーブルの全インデックスが使用されると認識する。【０１３９】
次に、ＬＴＥ−Ａ基地局は、ＬＴＥ−Ａ基地局が対応しているアクセス方式を示す基地局側候補情報を制御信号生成部２１６で生成してＰＢＣＨ(Physical broadcast channel)またはHigher layer signaling(物理チャネルではPhysical Downlink Shared Channel(ＰＤＳＣＨ)にマッピング)を用いて報知する(ステップ４０５)。なお、基地局側候補情報は、対応しているアクセス方式を示す情報の代わりに、基地局がサポートしているシステムのバージョンに関する情報のような、基地局が対応できるアクセス方式がわかる情報でもよい。【０１４０】
ＬＴＥ−Ａ移動局の制御部３０３は、自身がサポートできるアクセス方式およびステップ４０５でＬＴＥ−Ａ基地局によって送信された基地局側候補情報から、両局間の通信で使用できるアクセス方式の候補を認識して、保持しているＭＣＳテーブルの内どの部分のインデックスが用いられるかを認識する(ステップ４０６)。ここで、両局間の通信で用いることができるアクセス方式候補は、ＳＣ−ＦＤＭＡおよびＯＦＤＭとなり、ＬＴＥ−Ａ移動局はこれによってＭＣＳテーブルの全インデックスが使用されると認識する。【０１４１】
ＬＴＥ−Ａ移動局は、データを基地局に送信するにあたって、リファレンス信号生成部３０６でSoundingリファレンス信号を生成してＬＴＥ−Ａ基地局に送信する(ステップ４０７)。ＬＴＥ−Ａ基地局のＣＱＩ測定部２０２はＬＴＥ−Ａ移動局からのSoundingリファレンス信号を受信しＬＴＥ−Ａ移動局のＣＱＩを測定する(ステップ４０８)。【０１４２】
次に、ＬＴＥ−Ａ基地局のスケジューラ２０３は、ステップ４０７でＣＱＩ測定部２０２が測定したＣＱＩからアクセス方式、変調方式及び符号化率を決定する(ステップ４０９)。この時、制御部２０６は、決定したアクセス方式に応じて、すなわち、ＳＣ−ＦＤＭＡを用いるときはＩＤＦＴ部２１２に、ＰＦＤＭを用いるときは、Ｐ/Ｓ変換部２１３に切り替えるように、アクセス方式切替部２１１を制御する。【０１４３】
次に、ＬＴＥ−Ａ基地局の制御信号生成部２１６は、ステップ４０９で決定したＭＣＳを記したＭＣＳ制御情報を生成してＬＴＥ−Ａ移動局に通知する(ステップ４１０)。【０１４４】
ＬＴＥ−Ａ移動局の制御部３０３は、受信したＭＣＳ情報を用いて、受信したＭＣＳ情報がＳＣ−ＦＤＭＡに対応したＭＣＳであるかを判定する(ステップ４１１)。【０１４５】
ステップ４１１においてＹｅｓの場合、制御部３０３はデータがＤＦＴ部３０８に出力されるようにアクセス方式切替部３０７を制御してＳＣ−ＦＤＭＡでデータ送信を行う（ステップ４１２）。一方、ステップ４１１においてNoの場合、制御部３０３はデータがＳ/Ｐ変換部３０９に出力されるようにアクセス方式切替部３０７を制御してＯＦＤＭでデータを送信する(ステップ４１３)。【０１４６】
続いて、基地局がＬＴＥ基地局の場合について説明する(ステップ４０３のNo)。【０１４７】
ＬＴＥ基地局は、ＬＴＥ−Ａ移動局の初期アクセス時に送信される信号に含まれる、移動局側候補情報を抽出する処理を行わない（ステップ４１４）。【０１４８】
また、ＬＴＥ基地局は、基地局側候補情報を報知しないため、その情報を受信できないＬＴＥ−Ａ移動局は、ＬＴＥ基地局のセル内にいること、即ち、アクセス方式候補はＳＣ−ＦＤＭＡであると制御部３０３が認識する。そして、保持しているＭＣＳテーブルの内、ＳＣ−ＦＤＭＡに対応するインデックス分しか用いられないことを認識し、さらにデータがＤＦＴ部３０８に出力されるようにアクセス方式切替部３０７を制御する（ステップ４１５）。【０１４９】
ＬＴＥ−Ａ移動局は、データを送信するにあたって、リファレンス信号生成部３０６でSoundingリファレンス信号を生成して送信し(ステップ４１６)、ＬＴＥ基地局のＣＱＩ測定部２０２はＬＴＥ−Ａ移動局からのSoundingリファレンス信号を受信しＣＱＩを測定する(ステップ４１７)。【０１５０】
次に、ＬＴＥ基地局のスケジューラはステップ４１７で測定したＣＱＩを用いて、ＬＴＥのＭＣＳテーブルに基づきＭＣＳを決定する(ステップ４１８)。【０１５１】
ＬＴＥ基地局の制御信号生成部２１６は、ステップ４１８で決定したＭＣＳを記したＭＣＳ情報を生成してＬＴＥ−Ａ移動局に通知する(ステップ４１９)。【０１５２】
最後に、ＬＴＥ−Ａ移動局の制御情報抽出部３０２は、受信したＭＣＳ制御信号を抽出し、抽出したＭＣＳ制御信号に対応付けられた変調方式及び符号化率を用いてＳＣ−ＦＤＭＡでデータを送信する(ステップ４２０)。【０１５３】
次に、ＬＴＥ移動局が基地局と通信する場合について説明する(ステップ４０１のNo)。【０１５４】
ＬＴＥ移動局は、初期アクセスで基地局にアクセスする（ステップ４２１）。ここでは、ＬＴＥ−Ａ基地局の場合について説明する(ステップ４２２のYes)。【０１５５】
ＬＴＥ−Ａ基地局のスケジューラ２０３は、ＬＴＥ移動局の初期アクセス時に送信された信号を受信し、移動局側候補情報が含まれていないことにより、通信相手がＬＴＥ移動局、即ち、アクセス方式候補はＳＣ−ＦＤＭＡであることを認識して、保持しているＭＣＳテーブルの内、ＳＣ−ＦＤＭＡに対応する部分を用いると認識する。更に、制御部２０６は、ＩＤＦＴ部２１２に切り替えるように、アクセス方式切替部２１１に制御する（ステップ４２３）。【０１５６】
ＬＴＥ−Ａ基地局の制御信号生成部２１６はＬＴＥ−Ａ基地局が対応するアクセス方式の候補を記した基地局側候補情報を生成してセル内の移動局に報知する（ステップ４２４）。【０１５７】
ＬＴＥ移動局は、ステップ４２４でＬＴＥ−Ａ基地局が報知した信号を抽出することができない（ステップ４２５）。【０１５８】
次に、上述のステップ４１６−４２０を行うことになる。【０１５９】
続いて、ＬＴＥ移動局がＬＴＥ基地局のセルにいる場合について説明する(ステップ１４２２のNo)。この場合は、ＬＴＥ同士の通信であり、ＬＴＥ基地局はＬＴＥ移動局の初期アクセス時に送信された信号を受信し、上述のステップ４１６−４２０を行うことになる。【０１６０】
尚、上記説明では、ＬＴＥ−Ａ移動局は初期アクセス時に移動局側候補情報を送信する場合を用いて説明したが、スケジューリングリクエスト時やハンドオーバ時等、データを送信する前に移動局側候補情報を送信するようにすれば良い。【０１６１】
(実施例５）
第４の実施形態における実施例５について以下で説明する。ＬＴＥで使用されているＭＣＳテーブルが図７に示すような０−１５の１６段階（４ビット）であるとする。実施例５で用いるＭＣＳテーブルは、図８に示すように、０−１５はＬＴＥで使用されているＭＣＳテーブル（図７）と同じであり、１６-３１（５ビット）のインデックス部分が追加されている。【０１６２】
まず、ＬＴＥ−Ａ移動局とＬＴＥ−Ａ基地局が通信する場合について説明する。この場合、図１４で示したようにアクセス方式の候補はＳＣ−ＦＤＭＡおよびＯＦＤＭとなる。アクセス候補がＳＣ−ＦＤＭＡおよびＯＦＤＭであるとＬＴＥ−Ａ基地局及びＬＴＥ−Ａ移動局が認識すると、ＭＣＳテーブルの全制御信号が使用されると認識することになる。ＬＴＥ−Ａ基地局は、ＳＣ−ＦＤＭＡを用いて通信すると決定した場合ＭＣＳの制御信号を０-１５のいずれかで通知し、ＯＦＤＭを用いて通信すると決定した場合ＭＣＳの制御信号を１６-３１のいずれかを通知する。これに応じて、ＬＴＥ−Ａ移動局は、ＭＣＳ制御信号が０-１５のいずれかの場合ＳＣ−ＦＤＭＡを用いる。一方、ＭＣＳの制御信号が１６-３１のいずれかの場合、ＯＦＤＭを用いることになる。【０１６３】
次に、ＬＴＥ−Ａ移動局とＬＴＥ−Ａ基地局同士の通信でない場合について説明する。この場合、図１４で示したように両局間で用いられるアクセス方式の候補はＳＣ−ＦＤＭＡとなるため、ＭＣＳ制御信号は０-１５のいずれかを示す４ビットで通知されることになる。【０１６４】
上記第４の実施形態を用いると、ＬＴＥでのＭＣＳの通知を変えることなくアクセス方式の切り替えが可能である。従って、基地局及び移動局のどちらか一方が、単一のアクセス方式を用いて通信する機器であっても、問題なく通信ができる。【０１６５】
また、移動局ごとにアクセス方式を切り替えるために必要最低限な報知情報と、通常、移動局個々に通知されている下り制御情報を関係付けていることによりアクセス方式を切り替えるため、特に新しいアクセス方式に関する追加の通知を必要とせず、それ故にオーバーヘッドを小さくすることができる。【０１６６】
(第５の実施形態)
本発明の第５の実施の形態は、移動局が基地局とのデータ通信で用いるアクセス方式を決定する場合について説明する。【０１６７】
本実施の形態における基地局及び移動局は、実施の形態１の説明で使用した図３及び図４とほぼ同じであるため、異なる部分について説明する。【０１６８】
ＬＴＥ−Ａ移動局の制御部３０３は、データを基地局に送信するにあたって、送信するデータのデータ量、過去の上り送信に対するＡｃｋ/ＮＡＣＫの確率、測定した下りリンクの伝播路品質、及び割り当てられた帯域幅の少なくとも１つを用いて、データ送信に用いるアクセス方式及びＭＣＳを決定する。この時、アクセス方式切替部３０７は、決定したアクセス方式に応じてＤＦＴ部３０８又はＳ/Ｐ変換部３０９に切り替える。【０１６９】
制御信号生成部３０５は、決定したＭＣＳの制御情報をＰＵＣＣＨ又はＰＵＳＣＨで送信するように制御信号を生成し、サブキャリアマッピング部３１０が決定したアクセス方式及びＭＣＳを使ってデータ及び制御信号を変調して無線通信部３０１を介して基地局に送信する。【０１７０】
ＬＴＥ-Ａ基地局のアクセス方式選択部２０４は、受信したＭＣＳ制御情報とステップ４０４で選択したＭＣＳテーブルとを用いて、受信したＭＣＳ制御情報がＳＣ−ＦＤＭＡに対応したＭＣＳであるかを判定する。ＳＣ−ＦＤＭＡに対応したＭＣＳである場合、制御部２０６はデータがＩＤＦＴ部２１２に出力されるようにアクセス方式切替部２１１を制御する。一方、ＳＣ−ＦＤＭＡに対応したＭＣＳで無い場合、制御部２０６はデータがＰ/Ｓ変換部２１３に出力されるようにアクセス方式切替部２１１を制御する。【０１７１】
図１５は本発明の第５実施形態による基地局および移動局の動作フローを示す。【０１７２】
まず、ＬＴＥ−Ａ移動局が基地局と通信する場合について説明する(ステップ１４０１のYes)。【０１７３】
ＬＴＥ−Ａ移動局は、基地局への初期アクセス時に(例えば、Physical Random Access Channel(ＰＲＡＣＨ)を用いる)自移動局が対応できるアクセス方式(ＳＣ−ＦＤＭＡ、ＯＦＤＭ)を示す移動局側候補情報を制御信号生成部３０５で生成して基地局に通知する(ステップ１４０２)。なお、移動局側候補情報は、対応できるアクセス方式を示す情報の代わりに、移動局クラス、移動局がサポートできるシステムのバージョンに関する情報等のように、移動局が対応できるアクセス方式がわかる情報でもよい。以下では、基地局がＬＴＥ−Ａ基地局である場合について説明する(ステップ１４０３のYes)。【０１７４】
ＬＴＥ−Ａ基地局のスケジューラ２０３は、初期アクセス時に送信された移動局側候補情報を受信し、この情報と自身がサポートできるアクセス方式とから両局間の通信で使用できるアクセス方式を認識して、保持している複数のＭＣＳテーブルの中からいずれか一つを選択する(ステップ１４０４)。ここで、両局間の通信で用いることができるアクセス方式候補は、ＳＣ−ＦＤＭＡおよびＯＦＤＭとなり、ＬＴＥ−Ａ基地局はこれによって一意に決定されるＭＣＳテーブルを選択する。【０１７５】
次に、ＬＴＥ−Ａ基地局は、ＬＴＥ−Ａ基地局が対応しているアクセス方式を示す基地局側候補情報を制御信号生成部２１６で生成してＰＢＣＨ(Physical broadcast channel)またはHigher layer signaling(物理チャネルではPhysical Downlink Shared Channel(ＰＤＳＣＨ)にマッピング)を用いて報知する(ステップ１４０５)。なお、基地局側候補情報は、対応しているアクセス方式を示す情報の代わりに、基地局がサポートしているシステムのバージョンに関する情報のような、基地局が対応できるアクセス方式がわかる情報でもよい。【０１７６】
ＬＴＥ−Ａ移動局の制御部３０３は、自身がサポートできるアクセス方式およびステップ４０５でＬＴＥ−Ａ基地局によって送信された基地局側候補情報から、両局間の通信で使用できるアクセス方式の候補を認識して、保持している複数のＭＣＳテーブルの中からいずれか一つを選択する(ステップ１４０６)。ここで、両局間の通信で用いることができるアクセス方式候補は、ＳＣ−ＦＤＭＡおよびＯＦＤＭとなり、ＬＴＥ−Ａ移動局はこれによって一意に決定されるＭＣＳテーブルを選択する。【０１７７】
ＬＴＥ−Ａ移動局の制御部３０３は、データを基地局に送信するにあたって、送信するデータのデータ量、過去の上り送信に対するＡｃｋ/ＮＡＣＫの確率、測定した下りリンクの伝播路品質、及び割り当てられた帯域幅の少なくとも１つを用いて、データ送信に用いるアクセス方式及びＭＣＳを決定する（ステップ１４０７）。この時、アクセス方式切替部３０７は、決定したアクセス方式に応じてＤＦＴ部３０８又はＳ/Ｐ変換部３０９に切り替える。【０１７８】
制御信号生成部３０５は、決定したＭＣＳの制御情報をＰＵＣＣＨ又はＰＵＳＣＨで送信するように制御信号を生成し、サブキャリアマッピング部３１０が決定したアクセス方式及びＭＣＳを使ってデータ及び制御信号を変調して無線通信部３０１を介して基地局に送信する（ステップ１４０８）。【０１７９】
ＬＴＥ-Ａ基地局のアクセス方式選択部２０４は、受信したＭＣＳ制御情報とステップ４０４で選択したＭＣＳテーブルとを用いて、受信したＭＣＳ制御情報がＳＣ−ＦＤＭＡに対応したＭＣＳであるかを判定する(ステップ１４０９)。【０１８０】
ステップ１４０９においてＹｅｓの場合、制御部２０６はデータがＩＤＦＴ部２１２に出力されるようにアクセス方式切替部２１１を制御してＳＣ−ＦＤＭＡでデータを送信する（ステップ１４１０）。一方、ステップ１４０９においてNoの場合、制御部２０６はデータがＰ/Ｓ変換部２１３に出力されるようにアクセス方式切替部２１１を制御してＯＦＤＭでデータを送信する(ステップ１４１１)。【０１８１】
続いて、基地局がＬＴＥ基地局の場合について説明する(ステップ１４０３のNo)。【０１８２】
ＬＴＥ基地局は、ＬＴＥ−Ａ移動局の初期アクセス時に送信される信号に含まれる、移動局側候補情報を抽出する処理を行わない（ステップ１４１２）。【０１８３】
また、ＬＴＥ基地局は、基地局側候補情報を報知しないため、その情報を受信できないＬＴＥ−Ａ移動局は、ＬＴＥ基地局のセル内にいること、即ち、アクセス方式候補はＳＣ−ＦＤＭＡであると制御部３０３が認識する。そして、保持している複数のＭＣＳテーブルの中から、ＳＣ−ＦＤＭＡに対応するＭＣＳテーブルを選択し、さらにデータがＤＦＴ部３０８に出力されるようにアクセス方式切替部３０７を制御する（ステップ１４１３）。【０１８４】
ＬＴＥ−Ａ移動局の制御部３０３は、データを基地局に送信するにあたって、送信するデータのデータ量、過去の上り送信に対するＡｃｋ/ＮＡＣＫの確率、測定した下りリンクの伝播路品質、及び割り当てられた帯域幅の少なくとも１つを用いて、データ送信に用いるＭＣＳを決定し、制御信号生成部３０５が決定したＭＣＳの制御情報をＰＵＣＣＨ又はＰＵＳＣＨで送信するように制御信号を生成する（ステップ１４１４）【０１８５】
サブキャリアマッピング部３１０は、決定したＭＣＳを使ってデータ及び制御信号を変調して無線通信部３０１を介してＳＣ−ＦＤＭＡで基地局に送信する（ステップ１４１５）。【０１８６】
最後に、ＬＴＥ−Ａ移動局の制御情報抽出部３０２は、受信したＭＣＳ制御信号を抽出し、抽出したＭＣＳ制御信号に対応付けられた変調方式及び符号化率を用いてＳＣ−ＦＤＭＡでデータを送信する(ステップ１４１６)。【０１８７】
次に、ＬＴＥ移動局が基地局と通信する場合について説明する(ステップ１４０１のNo)。【０１８８】
ＬＴＥ移動局は、初期アクセスで基地局にアクセスする（ステップ１４１７）。ここでは、ＬＴＥ−Ａ基地局の場合について説明する(ステップ１４１８のYes)。【０１８９】
ＬＴＥ−Ａ基地局のスケジューラ２０３は、ＬＴＥ移動局の初期アクセス時に送信された信号を受信し、移動局側候補情報が含まれていないことにより、通信相手がＬＴＥ移動局、即ち、アクセス方式候補はＳＣ−ＦＤＭＡであることを認識して、保持している複数のＭＣＳテーブルの中からＳＣ−ＦＤＭＡに対応するＭＣＳテーブルを選択する。更に、制御部２０６は、ＩＤＦＴ部２１２に切り替えるように、アクセス方式切替部２１１に制御する（ステップ１４１９）。【０１９０】
ＬＴＥ−Ａ基地局の制御信号生成部２１６はＬＴＥ−Ａ基地局が対応するアクセス方式の候補を記した基地局側候補情報を生成してセル内の移動局に報知する（ステップ１４２０）。【０１９１】
ＬＴＥ移動局は、ステップ４２４でＬＴＥ−Ａ基地局が報知した信号を抽出することができない（ステップ１４２１）。【０１９２】
次に、上述のステップ１４１４−１４１６を行うことになる。【０１９３】
続いて、ＬＴＥ移動局がＬＴＥ基地局のセルにいる場合について説明する(ステップ１４１８のNo)。この場合は、ＬＴＥ同士の通信であり、ＬＴＥ基地局はＬＴＥ移動局の初期アクセス時に送信された信号を受信し、上述のステップ１４１４-１４１６を行うことになる。【０１９４】
尚、上記説明では、ＬＴＥ−Ａ移動局は初期アクセス時に移動局側候補情報を送信する場合を用いて説明したが、スケジューリングリクエスト時やハンドオーバ時等、データを送信する前に移動局側候補情報を送信するようにすれば良い。【０１９５】
また、上述した実施の形態ではＬＴＥ−Ａ移動局が決定したＭＣＳの制御信号をＬＴＥ−Ａ基地局に通知する場合を用いて説明したが、ＭＣＳの制御信号を通知しない構成であっても良い。この場合、ＬＴＥ−Ａ基地局は、移動局側候補情報によって、使用するＭＣＳテーブルを選択しているので、選択したＭＣＳテーブルに記されている全パターンのＭＣＳで復調してデータを取り出す構成となる。【０１９６】
上記第５の実施形態を用いると、ＬＴＥでのＭＣＳの通知を変えることなくアクセス方式の切り替えが可能である。従って、基地局及び移動局のどちらか一方が、単一のアクセス方式を用いて通信する機器であっても、問題なく通信ができる。【０１９７】
また、移動局ごとにアクセス方式を切り替えるために必要最低限な報知情報と、通常、移動局個々に通知されている下り制御情報を関係付けることによりアクセス方式を切り替えるため、特に新しいアクセス方式に関する追加の通知を必要とせず、それ故にオーバーヘッドを小さくすることができる。【０１９８】
また、移動局がＭＣＳを決定しているので、基地局から移動局へのＭＣＳの通知をしなくてすみ、下り制御情報によるオーバーヘッドを小さくすることができる。【０１９９】
尚、上記説明において、使用するアクセス方式としてＯＦＤＭおよびＳＣ−ＦＤＭＡの２種類を用いて説明したが、これらに限定されるものではなく、ＤＦＴ-Ｓ-ＯＦＤＭに不連続なリソース割り当てを適用するアクセス方式(Clustered ＤＦＴ-Ｓ-ＯＦＤＭ, Ｎ ｘ ＤＦＴ-Ｓ-ＯＦＤＭなどと呼ばれる)、ＣＤＭＡ、ＭＣ-ＣＤＭＡなどであってもよく、また、複数種類であってもよい。【０２００】
また、上記説明において、移動局がデータを送信する際（上りリンク）に用いるアクセス方式を決定する場合の構成を用いて説明したが、基地局がデータを送信する際（下りリンク）に用いるアクセス方式を決定する構成であっても良い。【０２０１】
尚、上述した本発明の端末及び基地局は、上記説明からも明らかなように、ハードウェアで構成することも可能であるが、コンピュータプログラムにより実現することも可能である。この場合、プログラムメモリに格納されているプログラムで動作するプロセッサによって、上述した実施の形態と同様の機能、動作を実現させる。尚、上述した実施の形態の一部の機能をコンピュータプログラムにより実現することも可能である。【０２０２】
以下に、本発明の例を説明する。【０２０３】
本発明の第１例は、通信相手局が対応しているアクセス方式に関する情報が記された制御情報である相手局候補情報を用いて、前記通信相手局との間で使用することができるアクセス方式を予め認識し、前記通信相手局とのデータ通信で用いるアクセス方式を、該データ通信時に、前記認識したアクセス方式のいずれかに決定することを特徴とする通信システム。【０２０４】
本発明の第２例は、第１例において、データ送信の送信制御の内容を示す制御信号識別情報とアクセス方式とを対応付けたフォーマットをアクセス方式及びアクセス方式の組み合わせの少なくとも一つ毎に記憶されている記憶部を有し、前記認識の結果に応じて前記フォーマットを選択し、この選択したフォーマットの中の前記決定したアクセス方式に対応付けられている制御信号識別子及び前記フォーマットを一意に識別するフォーマット情報の少なくとも一方を前記通信相手局に通知することを特徴とする。【０２０５】
本発明の第３例は、第２例において、前記認識の結果に応じて前記フォーマットを選択し、この選択したフォーマットの前記通知された制御信号識別情報に対応付けられているアクセス方式で通信することを特徴とする。【０２０６】
本発明の第４例は、第２例又は第３例において、前記決定したアクセス方式で、該データ通信のデータを受信することを特徴とする。【０２０７】
本発明の第５例は、第２例又は第３例において、前記決定したアクセス方式で、該データ通信のデータを送信することを特徴とする。【０２０８】
本発明の第６例は、第２例から第５例のいずれかにおいて、前記記憶部に、ＭＣＳ（Modulation and Coding Scheme）を一意に識別するＭＣＳ情報とアクセス方式とを対応付けたフォーマットが記憶されており、前記選択したフォーマットと、通信環境及び通信状態の少なくとも１つと、前記決定したアクセス方式とを用いて決定したＭＣＳ情報を通知することを特徴とする。【０２０９】
本発明の第７例は、第２例から第５例のいずれかにおいて、前記記憶部に、リソースブロックの割り当て位置を示す割当情報とアクセス方式とを対応付けたフォーマットが記憶されており、前記選択したフォーマットと、通信環境及び通信状態の少なくとも１つと、前記決定したアクセス方式とを用いて決定した割当情報を通知することを特徴とする。【０２１０】
本発明の第８例は、第７例において、前記割当情報は、周波数軸上におけるリソースブロックの割り当て位置を示す情報であることを特徴とする。【０２１１】
本発明の第９例は、第７例において、前記割当情報は、時間軸上におけるリソースブロックの割り当て位置を示す情報であることを特徴とする。【０２１２】
本発明の第１０例は、第１例において、データ送信の送信制御の内容を示す制御信号識別子とアクセス方式とを対応付けたテーブルが記録されている記録部を有し、前記決定したアクセス方式に対応付けられている制御信号識別子を検索し、検索した制御信号識別子を前記通信相手局に通知することを特徴とする。【０２１３】
本発明の第１１例は、端末であって、基地局が対応しているアクセス方式に関する情報が記された制御情報である基地局候補情報を用いて、前記基地局との間で使用することができるアクセス方式を予め認識し、データ通信時に決定する前記認識したアクセス方式のいずれかのアクセス方式を用いて前記基地局とデータ通信することを特徴とする端末。【０２１４】
本発明の第１２例は、第１１例において、データ送信の送信制御の内容を示す制御信号識別情報とアクセス方式とを対応付けたフォーマットをアクセス方式及びアクセス方式の組み合わせの少なくとも一つ毎に記憶されている記憶部を有し、
前記認識の結果に応じて前記フォーマットを選択し、前記基地局から送信された制御信号識別子を前記選択したフォーマットの中から検索し、この検索した制御信号識別子に対応付けられているアクセス方式を用いて通信することを特徴とする。【０２１５】
本発明の第１３例は、第１１例において、データ送信の送信制御の内容を示す制御信号識別情報とアクセス方式とを対応付けたフォーマットをアクセス方式及びアクセス方式の組み合わせの少なくとも一つ毎に記憶されている記憶部を有し、前記認識の結果に応じて前記フォーマットを選択し、自局で決定したアクセス方式に対応付けられている制御信号識別子を前記選択したフォーマットの中から検索して、この検索した制御信号識別子を前記基地局に通知することを特徴とする。【０２１６】
本発明の第１４例は、第１１例において、データ送信の送信制御の内容を示す制御信号識別情報とアクセス方式とを対応付けたフォーマットをアクセス方式及びアクセス方式の組み合わせの少なくとも一つ毎に記憶されている記憶部を有し、前記基地局から送信された、前記フォーマットを一意に識別するフォーマット情報に対応付けられているフォーマットを選択し、前記基地局から送信された制御信号識別子を前記選択したフォーマットの中から検索し、この検索した制御信号識別子に対応付けられているアクセス方式を用いて通信することを特徴とする。【０２１７】
本発明の第１５例は、第１２例において、前記記憶部に、ＭＣＳ（Modulation and Coding Scheme）を一意に識別するＭＣＳ情報とアクセス方式とを対応付けたフォーマットが記憶されており、前記選択したフォーマットと、通信環境及び通信状態の少なくとも１つと、前記決定したアクセス方式とを用いて決定したＭＣＳ情報を通知することを特徴とする。【０２１８】
本発明の第１６例は、第１４例において、前記記憶部に、リソースブロックの割り当て位置を示す割当情報とアクセス方式とを対応付けたフォーマットが記憶されており、前記基地局から送信された割当情報を前記選択したフォーマットの中から検索し、この検索した割当情報に対応付けられているアクセス方式を用いて通信することを特徴とする。【０２１９】
本発明の第１７例は、第１６例において、前記割当情報は、周波数軸上におけるリソースブロックの割り当て位置を示す情報であることを特徴とする。【０２２０】
本発明の第１８例は、第１６例において、前記割当情報は、時間軸上におけるリソースブロックの割り当て位置を示す情報であることを特徴とする。【０２２１】
本発明の第１９例は、第１１例において、データ送信の送信制御の内容を示す制御信号識別子とアクセス方式とを対応付けたテーブルが記録されている記録部を有し、前記基地局から送信された制御信号識別子を前記テーブルから検索し、この検索した制御信号識別子に対応付けられているアクセス方式で通信することを特徴とする。【０２２２】
本発明の第２０例は、移動局が対応しているアクセス方式に関する情報が記された制御情報である移動局候補情報を用いて、前記移動局との間で使用することができるアクセス方式を予め認識し、データ通信時に決定する前記認識したアクセス方式のいずれかのアクセス方式を用いて前記移動局とデータ通信することを特徴とする基地局。【０２２３】
本発明の第２１例は、第２０例において、データ送信の送信制御の内容を示す制御信号識別情報とアクセス方式とを対応付けたフォーマットをアクセス方式及びアクセス方式の組み合わせの少なくとも一つ毎に記憶されている記憶部を有し、前記認識の結果に応じて前記フォーマットを選択し、自局で決定したアクセス方式に対応つけられている制御信号識別子を前記選択したフォーマットの中から検索し、この検索した制御信号識別子及び前記選択したフォーマットを一意に識別するフォーマット情報の少なくとも一方を前記移動局に通知することを特徴とする。【０２２４】
本発明の第２２例は、第２０例において、前記認識の結果に応じて前記フォーマットを選択し、前記移動局から送信された制御信号識別情報を前記選択したフォーマットの中から検索し、この検索した制御信号識別情報に対応付けられているアクセス方式で通信することを特徴とする。【０２２５】
本発明の第２３例は、第２１例において、前記記憶部に、ＭＣＳ（Modulation and Coding Scheme）を一意に識別するＭＣＳ情報とアクセス方式とを対応付けたフォーマットが記憶されており、前記選択したフォーマットと、通信環境及び通信状態の少なくとも１つと、前記決定したアクセス方式とを用いて決定したＭＣＳ情報を前記移動局に通知することを特徴とする。【０２２６】
本発明の第２４例は、第２１例において、前記記憶部に、リソースブロックの割り当て位置を示す割当情報とアクセス方式とを対応付けたフォーマットが記憶されており、自局で決定したアクセス方式と割当情報とを用いて、前記記憶部のいずれかのフォーマットを選択し、この選択フォーマットのフォーマット情報と前記決定した割当情報とを前記移動局に通知することを特徴とする。【０２２７】
本発明の第２５例は、第２４例において、前記割当情報は、周波数軸上におけるリソースブロックの割り当て位置を示す情報であることを特徴とする。【０２２８】
本発明の第２６例は、第２４例において、前記割当情報は、時間軸上におけるリソースブロックの割り当て位置を示す情報であることを特徴とする。【０２２９】
本発明の第２７例は、第２０例において、データ送信の送信制御の内容を示す制御信号識別子とアクセス方式とを対応付けたテーブルが記録されている記録部を有し、前記移動局から送信された制御信号識別子を前記テーブルから検索し、この検索した制御信号識別子に対応付けられているアクセス方式で通信することを特徴とする。【０２３０】
本発明の第２８例は、通信相手局が対応しているアクセス方式に関する情報が記された制御情報である相手局候補情報を用いて、前記通信相手局との間で使用することができるアクセス方式を予め認識し、前記通信相手局とのデータ通信で用いるアクセス方式を、該データ通信時に、前記認識したアクセス方式のいずれかに決定することを特徴とする通信方法。【０２３１】
本発明の第２９例は、第２８例において、アクセス方式及びアクセス方式の組み合わせの少なくとも一つ毎に、データ送信の送信制御の内容を示す制御信号識別情報とアクセス方式とを対応付けたフォーマットのいずれかを、前記認識の結果に応じて選択し、この選択したフォーマットの中の前記決定したアクセス方式に対応付けられている制御信号識別子及び前記フォーマットを一意に識別するフォーマット情報の少なくとも一方を前記通信相手局に通知することを特徴とする。【０２３２】
本発明の第３０例は、第２８例において、前記認識の結果に応じて前記フォーマットを選択し、この選択したフォーマットの前記通知された制御信号識別情報に対応付けられているアクセス方式で通信することを特徴とする。【０２３３】
本発明の第３１例は、第２８例又は第３０例において、前記決定したアクセス方式で、該データ通信のデータを受信することを特徴とする。【０２３４】
本発明の第３２例は、第２９例又は第３０例において、前記決定したアクセス方式で、該データ通信のデータを送信することを特徴とする。【０２３５】
本発明の第３３例は、第２９例から第３２例のいずれかにおいて、アクセス方式及びアクセス方式の組み合わせの少なくとも一つ毎に、ＭＣＳ（Modulation and Coding Scheme）を一意に識別するＭＣＳ情報とアクセス方式とを対応付けたフォーマットから選択したフォーマットと、通信環境及び通信状態の少なくとも１つと、前記決定したアクセス方式とを用いて決定したＭＣＳ情報を通知することを特徴とする。【０２３６】
本発明の第３４例は、第２９例から第３２例のいずれかにおいて、アクセス方式及びアクセス方式の組み合わせの少なくとも一つ毎に、リソースブロックの割り当て位置を示す割当情報とアクセス方式とを対応付けたフォーマットから選択したフォーマットと、通信環境及び通信状態の少なくとも１つと、前記決定したアクセス方式とを用いて決定した割当情報を通知することを特徴とする。【０２３７】
本発明の第３５例は、第３４例において、前記割当情報は、周波数軸上におけるリソースブロックの割り当て位置を示す情報であることを特徴とする。【０２３８】
本発明の第３６例は、第３４例において、前記割当情報は、時間軸上におけるリソースブロックの割り当て位置を示す情報であることを特徴とする。【０２３９】
本発明の第３７例は、第２８例において、データ送信の送信制御の内容を示す制御信号識別子とアクセス方式とを対応付けたテーブルが記録されている記録部の中から、前記決定したアクセス方式に対応付けられている制御信号識別子を検索し、検索した制御信号識別子を前記通信相手局に通知することを特徴とする。【０２４０】
本発明の第３８例は、端末のプログラムであって、前記プログラムは前記端末を、基地局が対応しているアクセス方式に関する情報が記された制御情報である基地局候補情報を用いて、前記基地局との間で使用することができるアクセス方式を予め認識し、データ通信時に決定する前記認識したアクセス方式のいずれかのアクセス方式を用いて前記基地局とデータ通信するように機能させることを特徴とするプログラム。【０２４１】
本発明の第３９例は、基地局のプログラムであって、前記プログラムは、前記基地局を、移動局が対応しているアクセス方式に関する情報が記された制御情報である移動局候補情報を用いて、前記移動局との間で使用することができるアクセス方式を予め認識し、データ通信時に決定する前記認識したアクセス方式のいずれかのアクセス方式を用いて前記移動局とデータ通信するように機能させることを特徴とするプログラム。【０２４２】
以上、実施の形態及び実施例をあげて本発明を説明したが、本発明は必ずしも上記実施の形態及び実施例に限定されるものではなく、その技術的思想の範囲内において様々に変形し実施することが出来る。【０２４３】
本出願は、２００８年１１月２５日に出願された日本出願特願２００８−２９９０４４号を基礎とする優先権を主張し、その開示の全てをここに取り込む。
【産業上の利用可能性】
【０２４４】
本発明は複数のアクセス方式をサポートする移動無線システム一般に適用可能である。
【図１】
2010061825.tif 000003
【図２】
2010061825.tif 000004
【図３】
2010061825.tif 000005
【図４】
2010061825.tif 000006
【図５】
2010061825.tif 000007
【図６】
2010061825.tif 000008
【図７】
2010061825.tif 000009
【図８】
2010061825.tif 000010
【図９】
2010061825.tif 000011
【図１０】
2010061825.tif 000012
【図１１】
2010061825.tif 000013
【図１２】
2010061825.tif 000014
【図１３】
2010061825.tif 000015
【図１４】
2010061825.tif 000016
【図１５】
2010061825.tif 000017
【国際調査報告】
2010061825.tif 000018
2010061825.tif 000019